(57)【要約】  本願は輻輳処理のための方法及び機器を提供し、該方法は、アクセスネットワーク機器はソースコアネットワーク機器が送信した第１メッセージを受信し、前記第１メッセージは前記ソースコアネットワーク機器の過負荷を指示することに用いられるステップと、前記アクセスネットワーク機器は前記第１メッセージに従って、端末機器を前記ソースコアネットワーク機器からターゲットコアネットワーク機器に移行させる操作を行い、前記ターゲットコアネットワーク機器と前記ソースコアネットワーク機器は異なる通信システムをサポートするステップと、を含む。本願の輻輳処理のための方法は、コアネットワーク機器の輻輳問題を解決することができ、コアネットワーク機器の間のロードバランシングを実現することができ、ユーザーエクスペリエンスを向上させる。
2020519076.tif 000002
【特許請求の範囲】
【請求項１】
輻輳処理のための方法であって、
アクセスネットワーク機器はソースコアネットワーク機器が送信した第１メッセージを受信し、前記第１メッセージは前記ソースコアネットワーク機器の過負荷を指示することに用いられるステップと、
前記アクセスネットワーク機器は前記第１メッセージに従って、端末機器を前記ソースコアネットワーク機器からターゲットコアネットワーク機器に移行させる操作を行い、前記ターゲットコアネットワーク機器と前記ソースコアネットワーク機器は異なる通信システムをサポートするステップと、を含むことを特徴とする輻輳処理のための方法。
【請求項２】
前記端末機器を前記ソースコアネットワーク機器からターゲットコアネットワーク機器に移行させる操作は、
前記端末機器に第２メッセージを送信し、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であることを含むことを特徴とする請求項１に記載の方法。
【請求項３】
前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられることを特徴とする請求項２に記載の方法。
【請求項４】
前記端末機器を前記ソースコアネットワーク機器からターゲットコアネットワーク機器に移行させる操作は、
前記端末機器が送信した第３メッセージを受信し、前記第３メッセージは前記アクセスネットワーク機器と前記第２接続を確立することを要求することに用いられること、及び
前記第３メッセージに従って、前記端末機器と前記第２接続を確立することを更に含むことを特徴とする請求項２又は３に記載の方法。
【請求項５】
前記第３メッセージに第３指示情報が含まれ、前記第３指示情報は前記第２接続を確立するのを要求する理由が前記ソースコアネットワーク機器の過負荷であるのを指示することに用いられることを特徴とする請求項４に記載の方法。
【請求項６】
前記端末機器を前記ソースコアネットワーク機器からターゲットコアネットワーク機器に移行させる操作は、
前記端末機器に第４メッセージを送信し、前記第４メッセージに前記ターゲットコアネットワークに関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であることを含むことを特徴とする請求項１に記載の方法。
【請求項７】
前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられることを特徴とする請求項６に記載の方法。
【請求項８】
前記パラメータは、サービス品質ＱｏＳに関連するパラメータ、セキュリティキー、及び前記ターゲットコアネットワーク機器が属するネットワークスライスに関連するパラメータの中の少なくとも１つを含むことを特徴とする請求項６又は７に記載の方法。
【請求項９】
前記端末機器を前記ソースコアネットワーク機器からターゲットコアネットワーク機器に移行させる操作は、
前記ターゲットコアネットワーク機器に第５メッセージを送信し、前記第５メッセージは前記ターゲットコアネットワーク機器が前記パラメータを構成することを要求することに用いられ、及び／又は、前記第５メッセージは前記ターゲットコアネットワーク機器との間のベアラーを確立することを要求することに用いられることを更に含むことを特徴とする請求項６〜８のいずれかに記載の方法。
【請求項１０】
前記端末機器を前記ソースコアネットワーク機器からターゲットコアネットワーク機器に移行させる操作は、
前記端末機器に第６メッセージを送信し、前記第６メッセージは前記端末機器が接続再確立プロセスによって前記アクセスネットワーク機器と前記ターゲットコアネットワーク機器に関連する接続を確立するのをトリガーすることに用いられることを含むことを特徴とする請求項１に記載の方法。
【請求項１１】
前記第６メッセージに第６指示情報が含まれ、前記第６指示情報は前記接続を確立する理由を指示することに用いられることを特徴とする請求項１０に記載の方法。
【請求項１２】
前記端末機器を前記ソースコアネットワーク機器からターゲットコアネットワーク機器に移行させる操作は、
前記コアネットワーク機器との間のベアラーを確立することを更に含むことを特徴とする請求項１〜１１のいずれかに記載の方法。
【請求項１３】
前記アクセスネットワーク機器は前記ターゲットコアネットワーク機器との間のベアラーを確立した後に、前記方法は、
前記アクセスネットワーク機器は前記ターゲットコアネットワーク機器に第７メッセージを送信し、前記第７メッセージは前記アクセスネットワーク機器が最後に受信したデータを指示することに用いられるステップを更に含むことを特徴とする請求項１２に記載の方法。
【請求項１４】
前記方法は、
前記アクセスネットワーク機器は前記ソースコアネットワーク機器に第８メッセージを送信し、前記第８メッセージは前記端末機器が前記ソースコアネットワーク機器から前記ターゲットコアネットワーク機器に移行したことを指示することに用いられるステップを更に含むことを特徴とする請求項１〜１３のいずれかに記載の方法。
【請求項１５】
輻輳処理のための方法であって、
ソースコアネットワーク機器は第１メッセージを確定し、前記第１メッセージは前記ソースコアネットワーク機器の過負荷を指示するステップと、
前記ソースコアネットワーク機器はアクセスネットワーク機器に前記第１メッセージを送信し、前記アクセスネットワーク機器は前記第１メッセージに従って、端末機器を前記ソースコアネットワーク機器からターゲットコアネットワーク機器に移行させる操作を行うことに用いられ、前記ターゲットコアネットワーク機器と前記ソースコアネットワーク機器は異なる通信システムをサポートするステップと、を含むことを特徴とする輻輳処理のための方法。
【請求項１６】
前記方法は、
前記ソースコアネットワーク機器は前記ターゲットコアネットワーク機器に第９メッセージを送信し、前記第９メッセージは前記ソースコアネットワーク機器が最後に前記アクセスネットワーク機器に送信したデータを指示することに用いられるステップを更に含むことを特徴とする請求項１５に記載の方法。
【請求項１７】
前記方法は、
前記ソースコアネットワーク機器は前記アクセスネットワーク機器が送信した第８メッセージを受信し、前記第８メッセージは前記端末機器が前記ソースコアネットワーク機器から前記ターゲットコアネットワーク機器に移行したことを指示することに用いられるステップを更に含むことを特徴とする請求項１５又は１６に記載の方法。
【請求項１８】
輻輳処理のための方法であって、
端末機器はアクセスネットワーク機器が送信した第２メッセージを受信し、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートするステップを含むことを特徴とする輻輳処理のための方法。
【請求項１９】
前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられることを特徴とする請求項１８に記載の方法。
【請求項２０】
前記方法は、
前記端末機器は前記第２メッセージに従って、前記第１接続を解放するステップと、
前記端末機器は前記アクセスネットワーク機器に第３メッセージを送信し、前記第３メッセージは前記アクセスネットワーク機器と前記第２接続を確立することを要求することに用いられるステップと、を含むことを特徴とする請求項１８又は１９に記載の方法。
【請求項２１】
前記第３メッセージに第３指示情報が含まれ、前記第３指示情報は前記第２接続を確立するのを要求する理由が前記ソースコアネットワーク機器の過負荷であるのを指示することに用いられることを特徴とする請求項２０に記載の方法。
【請求項２２】
輻輳処理のための方法であって、
端末機器はアクセスネットワーク機器が送信した第４メッセージを受信し、前記第４メッセージにターゲットコアネットワーク機器に関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートするステップを含むことを特徴とする輻輳処理のための方法。
【請求項２３】
前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられることを特徴とする請求項２２に記載の方法。
【請求項２４】
前記パラメータは、サービス品質ＱｏＳに関連するパラメータ、セキュリティキー、及び前記ターゲットコアネットワーク機器が属するネットワークスライスに関連するパラメータの中の少なくとも１つを含むことを特徴とする請求項２２又は２３に記載の方法。
【請求項２５】
前記方法は、
前記端末機器は前記パラメータに従って前記第１接続を再構成するステップを更に含むことを特徴とする請求項２２〜２４のいずれかに記載の方法。
【請求項２６】
前記第４メッセージに前記第５指示情報が含まれる場合に、前記端末機器は前記パラメータに従って前記第１接続を再構成するのは、
前記端末機器が前記発効時間の後に、前記パラメータに従って前記第１接続を再構成することを含むことを特徴とする請求項２５に記載の方法。
【請求項２７】
輻輳処理のための方法であって、
端末機器はアクセスネットワーク機器が送信した第６メッセージを受信し、前記第６メッセージは前記端末機器が接続再確立プロセスによって前記アクセスネットワーク機器とターゲットコアネットワーク機器に関連する接続を確立するのをトリガーすることに用いられ、前記端末機器をソースコアネットワーク機器から前記ターゲットコアネットワーク機器に移行させ、前記ターゲットコアネットワーク機器と前記ソースコアネットワーク機器は異なる通信システムをサポートするステップを含むことを特徴とする輻輳処理のための方法。
【請求項２８】
前記第６メッセージに第６指示情報が含まれ、前記第６指示情報は前記接続を確立する理由を指示することに用いられることを特徴とする請求項２７に記載の方法。
【請求項２９】
前記方法は、
前記端末機器は前記第６メッセージに従って、接続再確立プロセスを開始し、前記アクセスネットワーク機器と前記接続を確立するステップを更に含むことを特徴とする請求項２７又は２８に記載の方法。
【請求項３０】
アクセスネットワーク機器であって、
ソースコアネットワーク機器が送信した第１メッセージを受信することに用いられ、前記第１メッセージは前記ソースコアネットワーク機器の過負荷を指示することに用いられるトランシーバーモジュール、及び
処理モジュール、は前記第１メッセージに従って、端末機器を前記ソースコアネットワーク機器からターゲットコアネットワーク機器に移行させる操作を行うことに用いられ、前記ターゲットコアネットワーク機器と前記ソースコアネットワーク機器は異なる通信システムをサポートする処理モジュールを備えることを特徴とするアクセスネットワーク機器。
【請求項３１】
前記端末機器を前記ソースコアネットワーク機器からターゲットコアネットワーク機器に移行させる操作は、
前記トランシーバーモジュールは前記端末機器に第２メッセージを送信するのを制御し、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であることを含むことを特徴とする請求項３０に記載のアクセスネットワーク機器。
【請求項３２】
前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられることを特徴とする請求項３１に記載のアクセスネットワーク機器。
【請求項３３】
前記端末機器を前記ソースコアネットワーク機器からターゲットコアネットワーク機器に移行させる操作は、
前記トランシーバーモジュールは前記端末機器が送信した第３メッセージを受信するのを制御し、前記第３メッセージは前記アクセスネットワーク機器と前記第２接続を確立することを要求することに用いられること、及び
前記第３メッセージに従って、前記端末機器と前記第２接続を確立することを更に含むことを特徴とする請求項３１又は３２に記載のアクセスネットワーク機器。
【請求項３４】
前記第３メッセージに第３指示情報が含まれ、前記第３指示情報は前記第２接続を確立するのを要求する理由が前記ソースコアネットワーク機器の過負荷であるのを指示することに用いられることを特徴とする請求項３３に記載のアクセスネットワーク機器。
【請求項３５】
前記端末機器を前記ソースコアネットワーク機器からターゲットコアネットワーク機器に移行させる操作は、
前記トランシーバーモジュールは前記端末機器に第４メッセージを送信するのを制御し、前記第４メッセージに前記ターゲットコアネットワークに関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であることを含むことを特徴とする請求項３０に記載のアクセスネットワーク機器。
【請求項３６】
前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられることを特徴とする請求項３５に記載のアクセスネットワーク機器。
【請求項３７】
前記パラメータは、サービス品質ＱｏＳに関連するパラメータ、セキュリティキー、及び前記ターゲットコアネットワーク機器が属するネットワークスライスに関連するパラメータの中の少なくとも１つを含むことを特徴とする請求項３５又は３６に記載のアクセスネットワーク機器。
【請求項３８】
前記端末機器を前記ソースコアネットワーク機器からターゲットコアネットワーク機器に移行させる操作は、
前記トランシーバーモジュールは前記ターゲットコアネットワーク機器に第５メッセージを送信するのを制御し、前記第５メッセージは前記ターゲットコアネットワーク機器が前記パラメータを構成することを要求することに用いられ、及び／又は、前記第５メッセージは前記ターゲットコアネットワーク機器との間のベアラーを確立することを要求することに用いられることを更に含むことを特徴とする請求項３５〜３７のいずれかに記載のアクセスネットワーク機器。
【請求項３９】
前記端末機器を前記ソースコアネットワーク機器からターゲットコアネットワーク機器に移行させる操作は、
前記トランシーバーモジュールは前記端末機器に第６メッセージを送信するのを制御し、前記第６メッセージは前記端末機器が接続再確立プロセスによって前記アクセスネットワーク機器と前記ターゲットコアネットワーク機器に関連する接続を確立するのをトリガーすることに用いられることを含むことを特徴とする請求項３０に記載のアクセスネットワーク機器。
【請求項４０】
前記第６メッセージに第６指示情報が含まれ、前記第６指示情報は前記接続を確立する理由を指示することに用いられることを特徴とする請求項３９に記載のアクセスネットワーク機器。
【請求項４１】
前記端末機器を前記ソースコアネットワーク機器からターゲットコアネットワーク機器に移行させる操作は、
前記アクセスネットワーク機器が前記コアネットワーク機器との間のベアラーを確立ように制御することを含むことを特徴とする請求項３０〜４０のいずれかに記載のアクセスネットワーク機器。
【請求項４２】
前記アクセスネットワーク機器は前記ターゲットコアネットワーク機器との間のベアラーを確立した後に、前記トランシーバーモジュールは更に、
前記ターゲットコアネットワーク機器に第７メッセージを送信することに用いられ、前記第７メッセージは前記トランシーバーモジュールが最後に受信したデータを指示することに用いられることを特徴とする請求項４１に記載のアクセスネットワーク機器。  
【請求項４３】
前記トランシーバーモジュールは更に、
前記ソースコアネットワーク機器に第８メッセージを送信することに用いられ、前記第８メッセージは前記端末機器が前記ソースコアネットワーク機器から前記ターゲットコアネットワーク機器に移行したことを指示することに用いられることを特徴とする請求項３０〜４２のいずれかに記載のアクセスネットワーク機器。
【請求項４４】
コアネットワーク機器であって、
第１メッセージを確定することに用いられ、前記第１メッセージが前記コアネットワーク機器の過負荷を指示する処理モジュール、及び
アクセスネットワーク機器に前記第１メッセージを送信することに用いられ、前記アクセスネットワーク機器は前記第１メッセージに従って、端末機器を前記コアネットワーク機器からターゲットコアネットワーク機器に移行する操作を行うことに用いられ、前記ターゲットコアネットワーク機器と前記コアネットワーク機器とは異なる通信システムをサポートするトランシーバーモジュール、を備えることを特徴とするコアネットワーク機器。
【請求項４５】
前記トランシーバーモジュールは更に、
前記ターゲットコアネットワーク機器に第９メッセージを送信することに用いられ、前記第９メッセージはは前記コアネットワーク機器が最後に前記アクセスネットワーク機器に送信したデータを指示することに用いられることを特徴とする請求項４４に記載のコアネットワーク機器。
【請求項４６】
前記トランシーバーモジュールは更に、
前記アクセスネットワーク機器が送信した第８メッセージを受信することに用いられ、前記第８メッセージは前記端末機器が前記コアネットワーク機器から前記ターゲットコアネットワーク機器に移行したのを指示することに用いられることを特徴とする請求項４４又は４５に記載のコアネットワーク機器。
【請求項４７】
端末機器であって、処理モジュールとトランシーバーモジュールを備え、
前記処理モジュールは、前記トランシーバーモジュールはアクセスネットワーク機器が送信した第２メッセージを受信することを制御することに用いられ、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートすることを特徴とする端末機器。
【請求項４８】
前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられることを特徴とする請求項４７に記載の端末機器。
【請求項４９】
前記処理モジュールは更に、
前記第２メッセージに従って、前記第１接続を解放することに用いられ、
前記トランシーバーモジュールは更に、前記アクセスネットワーク機器に第３メッセージを送信することに用いられ、前記第３メッセージは前記アクセスネットワーク機器と前記第２接続を確立することを要求することに用いられことを特徴とする請求項４７又は４８に記載の端末機器。
【請求項５０】
前記第３メッセージに第３指示情報が含まれ、前記第３指示情報は前記第２接続を確立するのを要求する理由が前記ソースコアネットワーク機器の過負荷であるのを指示することに用いられることを特徴とする請求項４９に記載の端末機器。
【請求項５１】
端末機器であって、処理モジュールとトランシーバーモジュールを備え、
前記処理モジュールは、前記トランシーバーモジュールはアクセスネットワーク機器が送信した第４メッセージを受信することを制御することに用いられ、前記第４メッセージにターゲットコアネットワーク機器に関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートすることを特徴とする端末機器。
【請求項５２】
前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられることを特徴とする請求項５１に記載の端末機器。
【請求項５３】
前記パラメータは、サービス品質ＱｏＳに関連するパラメータ、セキュリティキー、及び前記ターゲットコアネットワーク機器が属するネットワークスライスに関連するパラメータの中の少なくとも１つを含むことを特徴とする請求項５１又は５２に記載の端末機器。
【請求項５４】
前記処理モジュールは更に、
前記パラメータに従って前記第１接続を再構成することに用いられることを特徴とする請求項５１〜５３のいずれかに記載の端末機器。
【請求項５５】
前記第４メッセージに前記第５指示情報が含まれる場合に、前記処理モジュールは具体的に、
前記発効時間の後に、前記パラメータに従って前記第１接続を再構成することに用いられることを特徴とする請求項５４に記載の端末機器。
【請求項５６】
端末機器であって、処理モジュールとトランシーバーモジュールを備え、
前記処理モジュールは、前記トランシーバーモジュールはアクセスネットワーク機器が送信した第６メッセージを受信することを制御することに用いられ、前記第６メッセージは前記端末機器が接続再確立プロセスによって前記アクセスネットワーク機器とターゲットコアネットワーク機器に関連する接続を確立するのをトリガーすることに用いられ、前記端末機器をソースコアネットワーク機器から前記ターゲットコアネットワーク機器に移行させ、前記ターゲットコアネットワーク機器と前記ソースコアネットワーク機器は異なる通信システムをサポートすることを特徴とする端末機器。
【請求項５７】
前記第６メッセージに第６指示情報が含まれ、前記第６指示情報は前記接続を確立する理由を指示することに用いられることを特徴とする請求項５６に記載の端末機器。
【請求項５８】
前記処理モジュールは更に、
前記第６メッセージに従って、接続再確立プロセスを開始し、前記端末機器と前記アクセスネットワーク機器とは前記接続を確立させることに用いられることを特徴とする請求項５６又は５７に記載の端末機器。
【発明の詳細な説明】
【技術分野】
【０００１】
本願の実施例は通信分野に関し、且つより具体的に、輻輳処理のための方法及び機器に関する。
【背景技術】
【０００２】
無線通信システムにおいて、基地局は２つのコアネットワーク機器に同時に接続されることができる。例えば、基地局はロングタームエボリューション（Ｌｏｎｇ  Ｔｅｒｍ  Ｅｖｏｌｕｔｉｏｎ、ＬＴＥ）システムにおけるコアネットワーク機器と第５世代移動通信（５ｔｈ−Ｇｅｎｅｒａｔｉｏｎ、５Ｇ）システムにおけるコアネットワーク機器を同時に接続することができる。しかしながら、端末機器は接続を確立する際に、１つのコアネットワーク機器のみを選択してアクセスする。数多くの端末機器は同一のコアネットワーク機器にアクセスすると、このコアネットワーク機器が混雑になる。
【０００３】
それにより、コアネットワーク機器の輻輳問題を解決し、コアネットワーク機器の間のロードバランシングを実現し、ユーザーエクスペリエンスを向上させるように、輻輳処理のための方法を提供する必要がある。
【発明の概要】
【発明が解決しようとする課題】
【０００４】
本願は輻輳処理のための方法及び機器を提供し、コアネットワーク機器の輻輳問題を解決し、コアネットワーク機器の間のロードバランシングを実現し、ユーザーエクスペリエンスを向上させることができる。
【課題を解決するための手段】
【０００５】
第１態様は、輻輳処理のための方法を提供し、アクセスネットワーク機器はソースコアネットワーク機器が送信した第１メッセージを受信し、前記第１メッセージは前記ソースコアネットワーク機器の過負荷を指示することに用いられるステップと、前記アクセスネットワーク機器は前記第１メッセージに従って、端末機器を前記ソースコアネットワーク機器からターゲットコアネットワーク機器に移行させる操作を行い、前記ターゲットコアネットワーク機器と前記ソースコアネットワーク機器は異なる通信システムをサポートするステップと、を含む。
【０００６】
本願の輻輳処理のための方法は、アクセスネットワーク機器はソースコアネットワーク機器が送信した過負荷を指示する第１メッセージを指示した後に、端末機器をソースコアネットワーク機器からターゲットコアネットワーク機器に移行する操作を行い、端末機器をソースコアネットワークからターゲットコアネットワークに移行させることができ、ソースコアネットワーク機器の輻輳問題を解決し、且つコアネットワーク機器の間のロードバランシングを実現することができ、ユーザーエクスペリエンスを向上させる。
【０００７】
第１態様を組み合わせ、第１態様の１つの実現方法において、前記端末機器を前記ソースコアネットワーク機器からターゲットコアネットワーク機器に移行させる操作は、前記端末機器に第２メッセージを送信し、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であることを含む。
【０００８】
第１態様及びその上記の実現方法を組み合わせ、第１態様の他の実現方法において、前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられる。
【０００９】
第１態様及びその上記の実現方法を組み合わせ、第１態様の他の実現方法において、前記端末機器を前記ソースコアネットワーク機器からターゲットコアネットワーク機器に移行させる操作は、前記端末機器が送信した第３メッセージを受信し、前記第３メッセージは前記アクセスネットワーク機器と前記第２接続を確立することを要求することに用いられること、及び前記第３メッセージに従って、前記端末機器と前記第２接続を確立することを含む。
【００１０】
第１態様及びその上記の実現方法を組み合わせ、第１態様の他の実現方法において、前記第３メッセージに第３指示情報が含まれ、前記第３指示情報は、前記第２接続を確立するのを要求する理由が前記ソースコアネットワーク機器の過負荷であるのを指示することに用いられる。
【００１１】
第１態様及びその上記の実現方法を組み合わせ、第１態様の他の実現方法において、前記端末機器を前記ソースコアネットワーク機器からターゲットコアネットワーク機器に移行させる操作は、前記端末機器に第４メッセージを送信し、前記第４メッセージに前記ターゲットコアネットワークに関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であることを含む。
【００１２】
第１態様及びその上記の実現方法を組み合わせ、第１態様の他の実現方法において、前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられる。
【００１３】
第１態様及びその上記の実現方法を組み合わせ、第１態様の他の実現方法において、前記パラメータは、サービス品質ＱｏＳに関連するパラメータ、セキュリティキー、及び前記ターゲットコアネットワーク機器が属するネットワークスライスに関連するパラメータの中の少なくとも１つを含む。
【００１４】
第１態様及びその上記の実現方法を組み合わせ、第１態様の他の実現方法において、前記端末機器を前記ソースコアネットワーク機器からターゲットコアネットワーク機器に移行させる操作は、前記ターゲットコアネットワーク機器に第５メッセージを送信し、前記第５メッセージは前記ターゲットコアネットワーク機器が前記パラメータを構成することを要求することに用いられ、及び／又は、前記第５メッセージは前記ターゲットコアネットワーク機器との間のベアラーを確立することを要求することに用いられることを更に含む。
【００１５】
第１態様及びその上記の実現方法を組み合わせ、第１態様の他の実現方法において、前記端末機器を前記ソースコアネットワーク機器からターゲットコアネットワーク機器に移行させる操作は、
前記端末機器に第６メッセージを送信し、前記第６メッセージは前記端末機器がトリガー接続再確立プロセスによって前記アクセスネットワーク機器と前記ターゲットコアネットワーク機器に関連する接続を確立することに用いられることを含む。
【００１６】
第１態様及びその上記の実現方法を組み合わせ、第１態様の他の実現方法において、前記第６メッセージに第６指示情報が含まれ、前記第６指示情報は前記接続を確立する理由を指示することに用いられる。
【００１７】
第１態様及びその上記の実現方法を組み合わせ、第１態様の他の実現方法において、前記端末機器を前記ソースコアネットワーク機器からターゲットコアネットワーク機器に移行させる操作は、前記コアネットワーク機器との間のベアラーを確立することを含む。
【００１８】
第１態様及びその上記の実現方法を組み合わせ、第１態様の他の実現方法において、前記アクセスネットワーク機器は前記ターゲットコアネットワーク機器との間のベアラーを確立した後に、前記方法は、前記アクセスネットワーク機器は前記ターゲットコアネットワーク機器に第７メッセージを送信し、前記第７メッセージは前記アクセスネットワーク機器が最後に受信したデータを指示することに用いられるステップを更に含む。
【００１９】
第１態様及びその上記の実現方法を組み合わせ、第１態様の他の実現方法において、前記方法は、前記アクセスネットワーク機器は前記ソースコアネットワーク機器に第８メッセージを送信し、前記第８メッセージは前記端末機器が前記ソースコアネットワーク機器から前記ターゲットコアネットワーク機器に移行したことを指示することに用いられるステップを更に含む。
【００２０】
第２態様は、輻輳処理のための方法を提供し、ソースコアネットワーク機器は第１メッセージを確定し、前記第１メッセージは前記ソースコアネットワーク機器の過負荷を指示するステップと、前記ソースコアネットワーク機器はアクセスネットワーク機器に前記第１メッセージを送信し、前記アクセスネットワーク機器は前記第１メッセージに従って、端末機器を前記ソースコアネットワーク機器からターゲットコアネットワーク機器に移行させる操作を行うことに用いられ、前記ターゲットコアネットワーク機器と前記ソースコアネットワーク機器は異なる通信システムをサポートするステップと、を含むことを特徴とする。
【００２１】
本願の実施例による輻輳処理のための方法は、ソースコアネットワーク機器は自分が過負荷であるのを確定する場合に、アクセスネットワーク機器に過負荷を指示する第１メッセージを送信し、アクセスネットワーク機器は第１メッセージに従って端末機器をソースコアネットワーク機器からターゲットコアネットワーク機器に移行する操作を実行させ、端末機器をソースコアネットワーク機器からターゲットコアネットワーク機器に移行させることができ、ソースコアネットワークの輻輳問題を解決し、コアネットワーク機器の間のロードバランシングを実現することができ、ユーザーエクスペリエンスを向上させる。
【００２２】
第２態様を組み合わせ、第２態様の１つの実現方法において、前記方法は、前記ソースコアネットワーク機器は前記ターゲットコアネットワーク機器に第９メッセージを送信し、前記第９メッセージは前記ソースコアネットワーク機器が最後に前記アクセスネットワーク機器に送信したデータを指示することに用いられるステップを更に含む。
【００２３】
第２態様及びその上記の実現方法を組み合わせ、第２態様の１つの実現方法において、前記方法は、前記ソースコアネットワーク機器は前記アクセスネットワーク機器が送信した第８メッセージを受信し、前記第８メッセージは前記端末機器が前記ソースコアネットワーク機器から前記ターゲットコアネットワーク機器に移行したことを指示することに用いられるステップを更に含む。
【００２４】
第３態様は、輻輳処理のための方法を提供し、端末機器はアクセスネットワーク機器が送信した第２メッセージを受信し、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートするステップを含む。
【００２５】
本願の輻輳処理のための方法は、端末機器はアクセスネットワーク機器が送信した第２メッセージを受信し、第２メッセージは端末機器がアクセスネットワーク機器との間に確立したソースコアネットワーク機器に関連する第１接続を解放し、且つアクセスネットワーク機器とターゲットコアネットワーク機器に関連する第２接続を確立することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【００２６】
第３態様を組み合わせ、第３態様の１つの実現方法において、前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられる。
【００２７】
第３態様及びその上記の実現方法を組み合わせ、第３態様の他の実現方法において、前記方法は、前記端末機器は前記第２メッセージに従って、前記第１接続を解放するステップと、前記端末機器は前記アクセスネットワーク機器に第３メッセージを送信し、前記第３メッセージは前記アクセスネットワーク機器と前記第２接続を確立することを要求することに用いられるステップと、を更に含む。
【００２８】
第３態様及びその上記の実現方法を組み合わせ、第３態様の他の実現方法において、前記第３メッセージに第３指示情報が含まれ、前記第３指示情報は前記第２接続を確立するのを要求する理由が前記ソースコアネットワーク機器の過負荷であるのを指示することに用いられる。
【００２９】
第４態様は、輻輳処理のための方法を提供し、端末機器はアクセスネットワーク機器が送信した第４メッセージを受信し、前記第４メッセージにターゲットコアネットワーク機器に関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートするステップを含む。
【００３０】
本願の輻輳処理のための方法は、端末機器はアクセスネットワーク機器が送信した第４メッセージを受信し、第４メッセージは端末機器がターゲットコアネットワーク機器に関連するパラメータに従ってソースコアネットワーク機器に関連する第１接続を再構成することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【００３１】
第４態様を組み合わせ、第４態様の１つの実現方法において、前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられる。
【００３２】
第４態様及びその上記の実現方法を組み合わせ、第４態様の他の実現方法において、前記パラメータは、サービス品質ＱｏＳに関連するパラメータ、セキュリティキー、及び前記ターゲットコアネットワーク機器が属するネットワークスライスに関連するパラメータの中の少なくとも１つを含む。
【００３３】
第４態様及びその上記の実現方法を組み合わせ、第４態様の他の実現方法において、前記方法は、前記端末機器は前記パラメータに従って前記第１接続を再構成するステップを更に含む。
【００３４】
第４態様及びその上記の実現方法を組み合わせ、第４態様の他の実現方法において、前記第４メッセージに前記第５指示情報が含まれる場合に、前記端末機器は前記パラメータに従って前記第１接続を再構成するのは、前記端末機器が前記発効時間の後に、前記パラメータに従って前記第１接続を再構成することを含む。
【００３５】
第５態様は、輻輳処理のための方法を提供し、端末機器はアクセスネットワーク機器が送信した第６メッセージを受信し、前記第６メッセージは前記端末機器が接続再確立プロセスによって前記アクセスネットワーク機器とターゲットコアネットワーク機器に関連する接続を確立するのをトリガーすることに用いられ、前記端末機器をソースコアネットワーク機器から前記ターゲットコアネットワーク機器に移行させ、前記ターゲットコアネットワーク機器と前記ソースコアネットワーク機器は異なる通信システムをサポートする。
【００３６】
本願の輻輳処理のための方法は、端末機器はアクセスネットワーク機器が送信した第６メッセージを受信し、第６メッセージは端末機器が接続再確立プロセスによってアクセスネットワーク機器との間にターゲットコアネットワーク機器に関連する接続を確立することをトリガーすることに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【００３７】
第５態様を組み合わせ、第５態様の１つの実現方法において、前記第６メッセージに第６指示情報が含まれ、前記第６指示情報は前記接続を確立する理由を指示することに用いられる。
【００３８】
第５態様及びその上記の実現方法を組み合わせ、第５態様の１つの実現方法において、前記方法は、前記端末機器は前記第６メッセージに従って、接続再確立プロセスを開始し、前記アクセスネットワーク機器と前記接続を確立するステップを更に含む。
【００３９】
第６態様は、アクセスネットワーク機器を提供し、上記第１態様又は第１態様の任意の可能な実現方法における方法を実行することに用いられる。具体的に、前記アクセスネットワーク機器は上記第１態様又は第１態様の任意の可能な実現方法における方法を実行するための機能モジュールを含む。
【００４０】
第７態様は、コアネットワーク機器を提供し、上記第２態様又は第２態様の任意の可能な実現方法における方法を実行することに用いられる。具体的に、前記コアネットワーク機器は上記第２態様又は第２態様の任意の可能な実現方法における方法を実行するための機能モジュールを含む。
【００４１】
第８態様は、端末機器を提供し、上記第３態様又は第３態様の任意の可能な実現方法における方法を実行することに用いられる。具体的に、前記端末機器は上記第３態様又は第３態様の任意の可能な実現方法における方法を実行するための機能モジュールを含む。
【００４２】
第９態様は、端末機器を提供し、上記第４態様又は第４態様の任意の可能な実現方法における方法を実行することに用いられる。具体的に、前記端末機器は上記第４態様又は第４態様の任意の可能な実現方法における方法を実行するための機能モジュールを含む。
【００４３】
第１０態様は、端末機器を提供し、上記第５態様又は第５態様の任意の可能な実現方法における方法を実行することに用いられる。具体的に、前記端末機器は上記第５態様又は第５態様の任意の可能な実現方法における方法を実行するための機能モジュールを含む。
【００４４】
第１１態様は、アクセスネットワーク機器を提供し、プロセッサー、メモリ及びトランシーバーを備える。前記プロセッサー、前記メモリ及び前記トランシーバーの間に内部接続通路によって互いに通信し、制御及び／又はデータ信号を伝達し、前記アクセスネットワーク機器は上記第１態様又は第１態様の任意の可能な実現方法における方法を実行させる。  
【００４５】
第１２態様は、コアネットワーク機器を提供し、プロセッサー、メモリ及びトランシーバーを備える。前記プロセッサー、前記メモリ及び前記トランシーバーの間に内部接続通路によって互いに通信し、制御及び／又はデータ信号を伝達し、前記コアネットワーク機器は上記第２態様又は第２態様の任意の可能な実現方法における方法を実行させる。  
【００４６】
第１３態様は、端末機器を提供し、プロセッサー、メモリ及びトランシーバーを備える。前記プロセッサー、前記メモリ及び前記トランシーバーの間に内部接続通路によって互いに通信し、制御及び／又はデータ信号を伝達し、前記端末機器は上記第３態様又は第３態様の任意の可能な実現方法における方法を実行させる。  
【００４７】
第１４態様は、端末機器を提供し、プロセッサー、メモリ及びトランシーバーを備える。前記プロセッサー、前記メモリ及び前記トランシーバーの間に内部接続通路によって互いに通信し、制御及び／又はデータ信号を伝達し、前記端末機器は上記第４態様又は第４態様の任意の可能な実現方法における方法を実行させる。
【００４８】
第１５態様は、端末機器を提供し、プロセッサー、メモリ及びトランシーバーを備える。前記プロセッサー、前記メモリ及び前記トランシーバーの間に内部接続通路によって互いに通信し、制御及び／又はデータ信号を伝達し、前記端末機器は上記第５態様又は第５態様の任意の可能な実現方法における方法を実行させる。  
【００４９】
第１６態様は、コンピューター読み取り可能な媒体を提供し、コンピュータープログラムを記憶することに用いられ、前記コンピュータープログラムは上記第１態様又は第１態様の任意の可能な実現方法を実行するための命令を含む。
【００５０】
第１７態様は、コンピューター読み取り可能な媒体を提供し、コンピュータープログラムを記憶することに用いられ、前記コンピュータープログラムは上記第２態様又は第２態様の任意の可能な実現方法を実行するための命令を含む。
【００５１】
第１８態様は、コンピューター読み取り可能な媒体を提供し、コンピュータープログラムを記憶することに用いられ、前記コンピュータープログラムは上記第３態様又は第３態様の任意の可能な実現方法を実行するための命令を含む。
【００５２】
第１９態様は、コンピューター読み取り可能な媒体を提供し、コンピュータープログラムを記憶することに用いられ、前記コンピュータープログラムは上記第４態様又は第４態様の任意の可能な実現方法を実行するための命令を含む。
【００５３】
第２０態様は、コンピューター読み取り可能な媒体を提供し、コンピュータープログラムを記憶することに用いられ、前記コンピュータープログラムは上記第５態様又は第５態様の任意の可能な実現方法を実行するための命令を含む。
【図面の簡単な説明】
【００５４】
【図１】本願の実施例による応用シナリオの模式図である。
【図２】本願の実施例による輻輳処理のための方法の概略フローチャートである。
【図３】本願の一具体的な実施例による輻輳処理のための方法の概略フローチャートである。
【図４】本願の他の具体的な実施例による輻輳処理のための方法の概略フローチャートである。
【図５】本願の他の実施例による輻輳処理のための方法の概略フローチャートである。
【図６】本願の更なる実施例による輻輳処理のための方法の概略フローチャートである。
【図７】本願の更なる実施例による輻輳処理のための方法の概略フローチャートである。
【図８】本願の更なる実施例による輻輳処理のための方法の概略フローチャートである。
【図９】本願の実施例によるアクセスネットワーク機器の概略ブロック図である。
【図１０】本願の実施例によるコアネットワーク機器の概略ブロック図である。
【図１１】本願の実施例による端末機器の概略ブロック図である。
【図１２】本願の他の実施例によるアクセスネットワーク機器の概略ブロック図である。
【図１３】本願の他の実施例によるコアネットワーク機器の概略ブロック図である。
【図１４】本願の他の実施例による端末機器の概略ブロック図である。
【発明を実施するための形態】
【００５５】
以下、本願の実施例における図面を組み合わせ、本願の実施例における技術的解決手段を明らかで、完全に説明する。
【００５６】
理解すべきなのは、本願の実施例による技術的解決手段は、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、一般パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割デュプレックス（Ｆｒｅｑｕｅｎｃｙ  Ｄｉｖｉｓｉｏｎ  Ｄｕｐｌｅｘ、ＦＤＤ）システム、ＬＴＥ時分割デュプレックス（Ｔｉｍｅ  Ｄｉｖｉｓｉｏｎ  Ｄｕｐｌｅｘ、ＴＤＤ）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）又はグローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、第５世代移動通信（５ｔｈ−Ｇｅｎｅｒａｔｉｏｎ、５Ｇ）システム、又は新しい無線（Ｎｅｗ  Ｒａｄｉｏ，  ＮＲ）システムの様々な通信システムに応用できる。
【００５７】
本願の実施例において、端末機器は移動局（Ｍｏｂｉｌｅ  Ｓｔａｔｉｏｎ、ＭＳ）、モバイル端末（Ｍｏｂｉｌｅ  Ｔｅｒｍｉｎａｌ）、モバイル電話（Ｍｏｂｉｌｅ  Ｔｅｌｅｐｈｏｎｅ）、ユーザー機器（Ｕｓｅｒ  Ｅｑｕｉｐｍｅｎｔ、ＵＥ）、携帯電話（ｈａｎｄｓｅｔ）及びポータブル機器（ｐｏｒｔａｂｌｅ  ｅｑｕｉｐｍｅｎｔ）、車両（ｖｅｈｉｃｌｅ）等を含んでよいが、これらに制限されなく、該端末機器は無線アクセスネットワーク（Ｒａｄｉｏ  Ａｃｃｅｓｓ  Ｎｅｔｗｏｒｋ、ＲＡＮ）を介して１つ又は複数のコアネットワークと通信することができ、例えば、端末機器はモバイル電話（又は「セルラー」電話と呼ばれる）、無線通信機能を有するコンピューター等であってよく、端末機器はポータブル、ポケット、ハンドヘルド、コンピューターに内蔵された又は車載の移動装置であってもよい。
【００５８】
本願の実施例に関したアクセスネットワーク機器は無線アクセスネットワークに配置されて端末機器のために無線通信機能を提供するための装置である。前記アクセスネットワーク機器は基地局であってよく、前記基地局は様々な形のマクロ基地局、マイクロ基地局、中継局、アクセスポイント等を含んでよい。異なる無線アクセス技術を採用したシステムにおいて、基地局機能を有する機器の名称は異なる可能性がある。例えばＬＴＥネットワークにおいて、進化したノードＢ（Ｅｖｏｌｖｅｄ  ＮｏｄｅＢ、ｅＮＢ又はｅＮｏｄｅＢ）と呼ばれ、第３世代（３ｒｄ  Ｇｅｎｅｒａｔｉｏｎ、３Ｇ）ネットワークにおいて、ノードＢ（Ｎｏｄｅ  Ｂ）等と呼ばれる。
【００５９】
本願の実施例に関したコアネットワーク機器はコアネットワークに配置されて端末機器のために無線通信機能を提供するための装置である。前記コアネットワーク機器はモバイル管理エンティティ（Ｍｏｂｉｌｅ  Ｍａｎａｇｅｍｅｎｔ  Ｅｎｔｉｔｙ、ＭＭＥ）であってよい。
【００６０】
図１は本願の実施例による応用シナリオの模式図である。図１に示すように、基地局は同時に２つの通信システムにおけるコアネットワーク機器（ＬＴＥにおけるコアネットワーク機器と５Ｇにおけるコアネットワーク機器）に接続される。端末機器は接続を確立する必要がある場合に、端末機器はその中の１つのコアネットワーク機器を選択してアクセスする。２つのコアネットワーク機器の中の一方に輻輳がある場合に、このコアネットワーク機器における端末機器を他のコアネットワーク機器に移行する必要があり、コアネットワーク機器の間のロードバランシングを実現する。
【００６１】
本願は輻輳処理のための方法を提供し、上記シナリオでのコアネットワーク機器の輻輳問題を解決することができ、コアネットワーク機器の間のロードバランシングを実現し、ユーザーエクスペリエンスを向上させる。
【００６２】
以下、本願の実施例による輻輳処理のための方法を詳細的に説明する。図２は本願の実施例による輻輳処理のための方法を示す。図２に示すように、方法１００は、以下のステップを含み、
Ｓ１１０、アクセスネットワーク機器はソースコアネットワーク機器が送信した第１メッセージを受信し、前記第１メッセージは前記ソースコアネットワーク機器の過負荷を指示することに用いられ、
Ｓ１２０、アクセスネットワーク機器は前記第１メッセージに従って、端末機器を前記ソースコアネットワーク機器からターゲットコアネットワーク機器に移行させる操作を行い、前記ターゲットコアネットワーク機器と前記ソースコアネットワーク機器は異なる通信システムをサポートする。
【００６３】
選択可能に、Ｓ１１０において、第１メッセージにソースコアネットワーク機器の識別子が携えられ、アクセスネットワーク機器は第１メッセージを受信した後に、第１メッセージにおける識別子に従ってソースコアネットワーク機器に輻輳があるのを確定する。更に、第１メッセージに理由指示情報を更に含んでよく、理由指示情報は輻輳がどのような理由またはどのようなビジネスによって引き起こされるのを指示することに用いられる。
【００６４】
選択可能に、Ｓ１１０において、第１メッセージにソースコアネットワーク機器の負荷量が携えられ、アクセスネットワーク機器はソースコアネットワーク機器の負荷量に従ってソースコアネットワークの過負荷を確定する。
【００６５】
選択可能に、Ｓ１２０において、アクセスネットワーク機器は第１メッセージに従って、端末機器をソースコアネットワーク機器からターゲットコアネットワーク機器に移行する操作を行う前に、アクセスネットワーク機器は前記ターゲットコアネットワーク機器と前記端末機器を確定する必要がある。
【００６６】
例として、第１メッセージにターゲットコアネットワーク機器の識別子が携えられ、アクセスネットワーク機器は第１メッセージにおける識別子に従ってターゲットコアネットワーク機器を確定する。或いは端末機器はアクセスネットワーク機器と接続を確立する際に、端末機器がアクセスネットワーク機器に自分がアクセスできるコアネットワーク機器のタイプ及び／又はコアネットワーク機器の識別子を報告し、アクセスネットワーク機器は端末機器が報告した情報に従ってターゲットコアネットワーク機器を確定する。或いはアクセスネットワーク機器は端末機器がコアネットワーク機器の能力と現在のビジネスに従ってターゲットコアネットワークを確定する。
【００６７】
例として、アクセスネットワーク機器は移行する必要がある端末機器を確定する際に、端末機器がコアネットワーク機器をサポートする能力に応じて確定することができる。例えば、仮にソースコアネットワーク機器はＬＴＥ通信システムにおけるコアネットワーク機器であり、ターゲットコアネットワーク機器は５Ｇ通信システムにおけるコアネットワーク機器であり、１つの端末機器はＬＴＥ通信システムにおけるコアネットワーク機器のみをサポートすると、該端末機器がソースコアネットワークからターゲットコアネットワーク機器に移行するには不便である。１つの端末機器はＬＴＥ通信システムにおけるコアネットワーク機器と５Ｇ通信システムにおけるコアネットワーク機器の両方をサポートすると、該端末機器をソースコアネットワーク機器からターゲットコアネットワーク機器に移行することができ、ソースコアネットワーク機器の負荷を低下させるようにする。
【００６８】
更に、１つの端末機器はソースコアネットワーク機器とターゲットコアネットワーク機器の両方をサポートすると、アクセスネットワーク機器は端末機器の現在のビジネスに従って該端末機器を移行するか否かを確定することができる。例えば、ソースコアネットワーク機器のみは端末機器の現在のビジネスをサポートすると、該端末機器をソースコアネットワークからターゲットコアネットワークに切り換えるには不便である。ソースコアネットワーク機器とターゲットコアネットワーク機器とは端末機器の現在ビジネスを同時にサポートすると、該端末機器をソースコアネットワーク機器からターゲットコアネットワーク機器に移行することができ、ソースコアネットワーク機器の負荷を低下させるようにする。
【００６９】
本願の実施例において、アクセスネットワーク機器は以下のいくつかの方法によって端末機器をソースコアネットワーク機器からターゲットコアネットワーク機器に移行させることができる。
【００７０】
方法１
アクセスネットワーク機器は端末機器に第２メッセージを送信し、第２メッセージは端末機器が第１接続を解放して、且つアクセスネットワーク機器とターゲットコアネットワーク機器に関連する第２接続を確立するのを指示することに用いられ、第１接続は端末機器とアクセスネットワーク機器との間に確立したソースコアネットワーク機器に関連する接続である。
【００７１】
選択可能に、第２メッセージに第１指示情報及び／又は第２指示情報が含まれ、第１指示情報は第１接続を解放する理由を指示し、第２指示情報はターゲットコアネットワーク機器を指示し、第２指示情報は例えばターゲットコアネットワーク機器の識別子又はターゲットコアネットワーク機器のタイプであってよい。
【００７２】
対応的に、端末機器は第２メッセージを受信した後に、第２メッセージに従って第１接続を解放し、且つアクセスネットワーク機器にアクセスネットワーク機器と第２接続を確立するのを要求するための第３メッセージを送信する。
【００７３】
更に、第３メッセージに第３指示情報が含まれ、第３指示情報は第２接続を確立するのを要求する理由がソースコアネットワーク機器の過負荷であることを指示することに用いられる。
【００７４】
更に、アクセスネットワーク機器は端末機器と第２接続を確立した後に、アクセスネットワーク機器がターゲットコアネットワーク機器とベアラーを確立する。
【００７５】
方法２
アクセスネットワーク機器は端末機器に第４メッセージを送信し、第４メッセージにターゲットコアネットワーク機器に関連するパラメータが含まれ、第４メッセージは端末機器が前記パラメータに従って第１接続を再構成するのを指示することに用いられ、第１接続は端末機器とアクセスネットワーク機器との間に確立したソースコアネットワーク機器に関連する接続である。
【００７６】
例として、第４メッセージに第４指示情報及び／又は第５指示情報が含まれ、第４指示情報は第１接続を再構成する理由を指示することに用いられ、第５指示情報は前記パラメータの発効時間を指示することに用いられる。
【００７７】
対応的に、端末機器は第４メッセージを受信した後に、第４メッセージに従って第１接続を再構成する。更に、第４メッセージに第５指示情報が含まれると、端末機器は前記パラメータの発効時間の後に、第４メッセージに従って第１接続を再構成する。
【００７８】
具体的に、いくつかの実施例において、アクセスネットワーク機器は第５指示情報によって前記パラメータは端末機器が前記第４メッセージを受信した時点から第１時間を経た後に発効することを指示することができる。端末機器は第４メッセージを受信する際にタイマーをオンにし、タイマーのタイミング時間は前記第１時間である。タイマーがタイムアウトする場合に、端末機器は前記パラメータが発効し始めることを考え、前記パラメータに従って第１接続を再構成する。或いは端末機器は第４メッセージを受信する際にタイマーをオンにし、タイマーのタイミング時間は前記第１時間であり、タイマーが終了する際に、端末機器は前記パラメータが発効し始めることを考え、前記パラメータに従って第１接続を構成する。
【００７９】
選択可能に、アクセスネットワーク機器は端末機器に第４メッセージを送信する前に、ターゲットコアネットワーク機器に第５メッセージを送信することができ、第５メッセージはターゲットコアネットワーク機器が前記パラメータを構成するのを要求することに用いられ、及び／又は第５メッセージはターゲットコアネットワーク機器との間のベアラーを確立するのを要求することに用いられる。或いはアクセスネットワーク機器は端末機器に第４メッセージを送信した後に、ターゲットコアネットワーク機器に第５メッセージを送信することができる。ターゲットアクセスネットワーク機器は第５メッセージを受信した後に、端末機器のために前記パラメータを構成し及び／又はアクセスネットワーク機器とベアラーを確立する。
【００８０】
アクセスネットワーク機器と端末機器との間に接続を確立し、且つターゲットコアネットワーク機器とベアラーを確立した後に、アクセスネットワーク機器はターゲットコアネットワーク機器に第７メッセージを送信し、第７メッセージはアクセスネットワーク機器が最後に受信したデータを指示することに用いられる。及び／又はアクセスネットワーク機器はソースコアネットワーク機器に第８メッセージを送信し、第８メッセージは端末機器がソースコアネットワーク機器からターゲットコアネットワーク機器に移行したのを指示することに用いられる。
【００８１】
選択可能に、第７メッセージにアクセスネットワーク機器が最後に受信したデータが含まれる。或いは第７メッセージにアクセスネットワーク機器が最後に受信したデータの関連情報が含まれ、ここの関連情報は例えばパケットの識別子であってよい。ターゲットコアネットワーク機器は第７メッセージを受信した後に、第７メッセージに従ってソースコアネットワーク機器がアクセスネットワーク機器に送信したデータを確定することができる。
【００８２】
上記実施例において、前記パラメータは、サービス品質（Ｑｕａｌｉｔｙ  ｏｆ  Ｓｅｒｖｉｃｅ、ＱｏＳ）に関連するパラメータ、セキュリティキー、及び前記ターゲットコアネットワーク機器が属するネットワークスライスに関連するパラメータの中の少なくとも１つを含む。
【００８３】
方法３
アクセスネットワーク機器は端末機器に第６メッセージを送信し、第６メッセージは端末機器が接続再確立プロセスによってアクセスネットワーク機器とターゲットコアネットワーク機器に関連する接続を確立するのをトリガーすることに用いられ、端末機器をソースコアネットワーク機器からターゲットコアネットワーク機器に移行させるようにする。
【００８４】
対応的に、端末機器は第６メッセージを受信した後に、第６メッセージに従って接続再確立プロセスを開始し、アクセスネットワーク機器と接続を確立する。
【００８５】
説明する必要があるのは、本願の実施例における接続再確立プロセスは従来の技術における対応したプロセスと同様である。本願の実施例における接続再確立プロセスはアクセスネットワーク機器によりトリガーされるという違いがある。
【００８６】
選択可能に、アクセスネットワーク機器は端末機器に第６メッセージを送信する前に、ターゲットコアネットワーク機器に第５メッセージを送信することができ、第５メッセージはターゲットコアネットワーク機器が前記ターゲットコアネットワーク機器に関連するパラメータを構成するのを要求することに用いられ、及び／又は第５メッセージは、ターゲットコアネットワーク機器との間のベアラーを確立するのを要求することに用いられる。或いはアクセスネットワーク機器は端末機器に第６メッセージを送信した後に、ターゲットコアネットワーク機器に第５メッセージを送信することができる。ターゲットアクセスネットワーク機器は第５メッセージを受信した後に、端末機器のために前記パラメータを構成し及び／又はアクセスネットワーク機器とベアラーを確立する。
【００８７】
アクセスネットワーク機器と端末機器との間に接続を確立して、且つターゲットコアネットワーク機器とベアラーを確立した後に、アクセスネットワーク機器はターゲットコアネットワーク機器に第７メッセージを送信し、第７メッセージはアクセスネットワーク機器が最後に受信したデータを指示することに用いられる。或いはアクセスネットワーク機器はソースコアネットワーク機器に第８メッセージを送信し、第８メッセージは端末機器がソースコアネットワーク機器からターゲットコアネットワーク機器に移行したのを指示することに用いられる。
【００８８】
選択可能に、第７メッセージにアクセスネットワーク機器が最後に受信したデータが含まれる。或いは第７メッセージにアクセスネットワーク機器が最後に受信したデータの関連情報が含まれ、ここの関連情報は例えばパケットの識別子であってよい。ターゲットコアネットワーク機器は第７メッセージを受信した後に、第７メッセージに従ってソースコアネットワーク機器がアクセスネットワーク機器に送信したデータを確定することができる。
【００８９】
図３は本願の一具体的な実施例による輻輳処理のための方法の概略フローチャートである。方法２００は方法１００の方法１に対応して、繰り返しを避けるために、関連説明を適切に省略し、図３に示すように、方法２００は以下のステップを含み、
Ｓ２０１、ソースコアネットワーク機器は過負荷を確定し、ソースコアネットワーク機器が基地局にロードバランシング要求を送信する。
【００９０】
Ｓ２０２、基地局は端末機器に接続解放メッセージを送信し、
接続解放メッセージに解放理由がソースコアネットワーク機器の過負荷であることが携えられることができ、それと同時に接続解放メッセージは端末機器がターゲットコアネットワーク方法に従って接続確立プロセスを開始することを指示する。
【００９１】
Ｓ２０３、端末機器は基地局と接続を確立し、
Ｓ２０４、基地局はターゲットコアネットワーク機器とベアラーを確立する。
【００９２】
図４は本願の他の具体的な実施例による輻輳処理のための方法であり、図４に示すような方法３００は方法１００の方法２と方法３に対応して、繰り返しを避けるために、関連説明を適切に省略する。図４に示すように、方法３００は以下のステップを含み、
Ｓ３０１、ソースコアネットワーク機器は過負荷を確定し、ソースコアネットワーク機器は基地局にロードバランシング要求を送信する。
【００９３】
Ｓ３０２、基地局はターゲットコアネットワーク機器に切り替え要求を送信する。
【００９４】
Ｓ３０２において、切り替え要求はターゲットコアネットワーク機器が端末機器のためにターゲットコアネットワーク機器に関連するパラメータを構成するのを要求することに用いられ、及び／又は切り替え要求はターゲットコアネットワーク機器とベアラーを確立するのを要求することに用いられる。
【００９５】
Ｓ３０３、ターゲットコアネットワーク機器は基地局にフィードバック情報を送信する。
【００９６】
Ｓ３０３において、フィードバック情報はターゲットコアネットワーク機器に関連するパラメータをフィードバックし、及び確立情報をベアラーすることに用いられる。
【００９７】
Ｓ３０４、基地局は端末機器に再構成メッセージを送信する。
【００９８】
選択可能に、再構成メッセージに再構成理由情報及び／又はパラメータ発効時間が含まれ、再構成理由情報は再構成理由がソースコアネットワーク機器の過負荷であるのを指示し、パラメータ発効時間はターゲットコアネットワーク機器に関連するパラメータの発効時間を指示することに用いられる。
【００９９】
Ｓ３０５、端末機器は基地局に再構成完成メッセージを送信し又は接続再確立プロセスを開始する。
【０１００】
Ｓ３０６、基地局はソースコアネットワークにロードバランシング完成メッセージを送信する。
【０１０１】
Ｓ３０７、コアネットワーク機器の間にインターフェースがあると、ソースコアネットワーク機器はターゲットコアネットワーク機器に最後に基地局に送信したデータ又はデータ関連情報を送信し、アクセスネットワーク機器の間にインターフェースがないと、基地局はターゲットコアネットワーク機器に最後に受信したデータ又はデータ関連情報を送信する。
【０１０２】
以下、図５を組み合わせてソースコアネットワーク機器側から本願の実施例による輻輳処理のための方法を詳細的に説明する。理解すべきなのは、ソースコアネットワーク機器側から説明するソースコアネットワーク機器、ターゲットコアネットワーク機器、アクセスネットワーク機器及び端末機器の対話はアクセスネットワーク機器側の説明と同様であり、繰り返しを避けるために、関連説明を適切に省略する。図５に示すように、方法４００は以下のステップを含み、
Ｓ４１０、ソースコアネットワーク機器は第１メッセージを確定し、前記第１メッセージは前記ソースコアネットワーク機器の過負荷を指示し、
Ｓ４２０、前記ソースコアネットワーク機器はアクセスネットワーク機器に前記第１メッセージを送信し、前記アクセスネットワーク機器は前記第１メッセージに従って、端末機器を前記ソースコアネットワーク機器からターゲットコアネットワーク機器に移行させる操作を行うことに用いられ、前記ターゲットコアネットワーク機器と前記ソースコアネットワーク機器は異なる通信システムをサポートする。
【０１０３】
このため、本願の実施例による輻輳処理のための方法は、ソースコアネットワーク機器は自分が過負荷であるのを確定する場合に、アクセスネットワーク機器に過負荷を指示する第１メッセージを送信し、アクセスネットワーク機器は第１メッセージに従って端末機器をソースコアネットワーク機器からターゲットコアネットワーク機器に移行する操作を実行させ、端末機器をソースコアネットワーク機器からターゲットコアネットワーク機器に移行させることがで、ソースコアネットワークの輻輳問題を解決し、コアネットワーク機器の間のロードバランシングを実現することができ、ユーザーエクスペリエンスを向上させる。
【０１０４】
本願の実施例において、選択可能に、前記方法は、前記ソースコアネットワーク機器は前記ターゲットコアネットワーク機器に第９メッセージを送信し、前記第９メッセージは前記ソースコアネットワーク機器が最後に前記アクセスネットワーク機器に送信したデータを指示することに用いられるステップを更に含む。
【０１０５】
本願の実施例において、選択可能に、前記方法は、前記ソースコアネットワーク機器は前記アクセスネットワーク機器が送信した第８メッセージを受信し、前記第８メッセージは前記端末機器が前記ソースコアネットワーク機器から前記ターゲットコアネットワーク機器に移行したことを指示することに用いられるステップを更に含む。
【０１０６】
以下、図６〜図８を組み合わせ端末機器側から本願の実施例による輻輳処理のための方法を詳しく説明する。
【０１０７】
図６は本願の更なる実施例による輻輳処理のための方法である。図６に示すように、方法５００は以下のステップを含み、
Ｓ５１０、端末機器はアクセスネットワーク機器が送信した第２メッセージを受信し、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートする。
【０１０８】
このため、本願の実施例による輻輳処理のための方法は、端末機器はアクセスネットワーク機器が送信した第２メッセージを受信し、第２メッセージは端末機器がアクセスネットワーク機器との間に確立したソースコアネットワーク機器に関連する第１接続を解放し、且つアクセスネットワーク機器とターゲットコアネットワーク機器に関連する第２接続を確立することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１０９】
本願の実施例において、選択可能に、前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられる。
【０１１０】
本願の実施例において、選択可能に、前記方法は、前記端末機器は前記第２メッセージに従って、前記第１接続を解放するステップと、前記端末機器は前記アクセスネットワーク機器に第３メッセージを送信し、前記第３メッセージは前記アクセスネットワーク機器と前記第２接続を確立することを要求することに用いられるステップと、を更に含む。
【０１１１】
本願の実施例において、選択可能に、前記第３メッセージに第３指示情報が含まれ、前記第３指示情報は前記第２接続を確立するのを要求する理由が前記ソースコアネットワーク機器の過負荷であるのを指示することに用いられる。
【０１１２】
図７は本願の更なる実施例による輻輳処理のための方法を示す。図７に示すように、方法６００は以下のステップを含み、
Ｓ６１０、端末機器はアクセスネットワーク機器が送信した第４メッセージを受信し、前記第４メッセージにターゲットコアネットワーク機器に関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートする。
【０１１３】
このため、本願の実施例による輻輳処理のための方法は、端末機器はアクセスネットワーク機器が送信した第４メッセージを受信し、第４メッセージは端末機器がターゲットコアネットワーク機器に関連するパラメータに従ってソースコアネットワーク機器に関連する第１接続を再構成することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１１４】
本願の実施例において、選択可能に、前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられる。
【０１１５】
本願の実施例において、選択可能に、前記パラメータは、サービス品質ＱｏＳに関連するパラメータ、セキュリティキー、及び前記ターゲットコアネットワーク機器が属するネットワークスライスに関連するパラメータの中の少なくとも１つを含む。
【０１１６】
本願の実施例において、選択可能に、前記方法は、前記端末機器は前記パラメータに従って前記第１接続を再構成するステップを更に含む。
【０１１７】
本願の実施例において、選択可能に、前記第４メッセージに前記第５指示情報が含まれる場合に、前記端末機器は前記パラメータに従って前記第１接続を再構成するのは、前記端末機器が前記発効時間の後に、前記パラメータに従って前記第１接続を再構成することを含む。
【０１１８】
図８は本願の更なる実施例による輻輳処理のための方法を示す。図８に示すように、方法７００は以下のステップを含み、
Ｓ７１０、端末機器はアクセスネットワーク機器が送信した第６メッセージを受信し、前記第６メッセージは前記端末機器が接続再確立プロセスによって前記アクセスネットワーク機器とターゲットコアネットワーク機器に関連する接続を確立するのをトリガーすることに用いられ、前記端末機器をソースコアネットワーク機器から前記ターゲットコアネットワーク機器に移行させ、前記ターゲットコアネットワーク機器と前記ソースコアネットワーク機器は異なる通信システムをサポートする。
【０１１９】
このため、本願による輻輳処理のための方法は、端末機器はアクセスネットワーク機器が送信した第６メッセージを受信し、第６メッセージは端末機器が接続再確立プロセスによってアクセスネットワーク機器との間にターゲットコアネットワーク機器に関連する接続を確立することをトリガーすることに用いられる、それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１２０】
本願の実施例において、選択可能に、前記第６メッセージに第６指示情報が含まれ、前記第６指示情報は前記接続を確立する理由を指示することに用いられる。
【０１２１】
本願の実施例において、選択可能に、前記方法は、前記端末機器は前記第６メッセージに従って、接続再確立プロセスを開始し、前記アクセスネットワーク機器と前記接続を確立するステップを更に含む。
【０１２２】
以上で図２〜図８を組み合わせ本願の実施例による輻輳処理のための方法を詳しく説明しており、以下、図９を組み合わせて本願の実施例によるアクセスネットワーク機器を詳しく説明し、図９に示すように、アクセスネットワーク機器１０は、
ソースコアネットワーク機器が送信した第１メッセージを受信することに用いられ、前記第１メッセージは前記ソースコアネットワーク機器の過負荷を指示することに用いられるトランシーバーモジュール１１、及び
前記第１メッセージに従って、端末機器を前記ソースコアネットワーク機器からターゲットコアネットワーク機器に移行させる操作を行うことに用いられ、前記ターゲットコアネットワーク機器と前記ソースコアネットワーク機器は異なる通信システムをサポートする処理モジュール１２、を備える。
【０１２３】
このため、本願の実施例によるアクセスネットワーク機器はソースコアネットワーク機器が送信した過負荷を指示する第１メッセージを指示した後に、端末機器をソースコアネットワーク機器からターゲットコアネットワーク機器に移行する操作を行い、端末機器をソースコアネットワークからターゲットコアネットワークに移行させることができ、ソースコアネットワーク機器の輻輳問題を解決し、且つコアネットワーク機器の間のロードバランシングを実現することができ、ユーザーエクスペリエンスを向上させる。
【０１２４】
本願の実施例において、選択可能に、前記端末機器を前記ソースコアネットワーク機器からターゲットコアネットワーク機器に移行させる操作は、前記トランシーバーモジュールは前記端末機器に第２メッセージを送信するのを制御し、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であることを含む。
【０１２５】
本願の実施例において、選択可能に、前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられる。
【０１２６】
本願の実施例において、選択可能に、前記端末機器を前記ソースコアネットワーク機器からターゲットコアネットワーク機器に移行させる操作は、前記トランシーバーモジュールは前記端末機器が送信した第３メッセージを受信するのを制御し、前記第３メッセージは前記アクセスネットワーク機器と前記第２接続を確立することを要求することに用いられ、前記第３メッセージに従って、前記端末機器と前記第２接続を確立することを更に含む。
【０１２７】
本願の実施例において、選択可能に、前記第３メッセージに第３指示情報が含まれ、前記第３指示情報は前記第２接続を確立するのを要求する理由が前記ソースコアネットワーク機器の過負荷であるのを指示することに用いられる。
【０１２８】
本願の実施例において、選択可能に、前記端末機器を前記ソースコアネットワーク機器からターゲットコアネットワーク機器に移行させる操作は、前記トランシーバーモジュールは前記端末機器に第４メッセージを送信するのを制御し、前記第４メッセージに前記ターゲットコアネットワークに関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であることを含む。
【０１２９】
本願の実施例において、選択可能に、前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられる。
【０１３０】
本願の実施例において、選択可能に、前記パラメータは、サービス品質ＱｏＳに関連するパラメータ、セキュリティキー、及び前記ターゲットコアネットワーク機器が属するネットワークスライスに関連するパラメータの中の少なくとも１つを含む。
【０１３１】
本願の実施例において、選択可能に、前記端末機器を前記ソースコアネットワーク機器からターゲットコアネットワーク機器に移行させる操作は、前記トランシーバーモジュールは前記ターゲットコアネットワーク機器に第５メッセージを送信するのを制御し、前記第５メッセージは前記ターゲットコアネットワーク機器が前記パラメータを構成することを要求することに用いられ、及び／又は、前記第５メッセージは前記ターゲットコアネットワーク機器との間のベアラーを確立することを要求することに用いられることを更に含む。
【０１３２】
本願の実施例において、選択可能に、前記端末機器を前記ソースコアネットワーク機器からターゲットコアネットワーク機器に移行させる操作は、前記トランシーバーモジュールは前記端末機器に第６メッセージを送信するのを制御し、前記第６メッセージは前記端末機器がトリガー接続再確立プロセスによって前記アクセスネットワーク機器と前記ターゲットコアネットワーク機器に関連する接続を確立することに用いられることを含む。
【０１３３】
本願の実施例において、選択可能に、前記第６メッセージに第６指示情報が含まれ、前記第６指示情報は前記接続を確立する理由を指示することに用いられる。
【０１３４】
本願の実施例において、選択可能に、前記端末機器を前記ソースコアネットワーク機器からターゲットコアネットワーク機器に移行させる操作は、前記ターゲットコアネットワーク機器に第７メッセージを送信することに用いられことを含む。
【０１３５】
本願の実施例において、選択可能に、前記アクセスネットワーク機器は前記ターゲットコアネットワーク機器との間のベアラーを確立した後に、前記トランシーバーモジュール１１は更に、前記ターゲットコアネットワーク機器に第７メッセージを送信することに用いられ、前記第７メッセージは前記トランシーバーモジュールが最後に受信したデータを指示することに用いられる。  
【０１３６】
本願の実施例において、選択可能に、前記トランシーバーモジュール１１は更に、前記ソースコアネットワーク機器に第８メッセージを送信することに用いられ、前記第８メッセージは前記端末機器が前記ソースコアネットワーク機器から前記ターゲットコアネットワーク機器に移行したことを指示することに用いられる。
【０１３７】
本願の実施例によるアクセスネットワーク機器は対応した本願の実施例の方法１００のプロセスを参照することができ、且つ、該アクセスネットワーク機器における各ユニット／モジュール及び上記のその他の操作及び／又は機能はそれぞれ方法１００における対応したプロセスを実現するためのものであり、簡潔にするために、ここでは繰り返さない。
【０１３８】
図１０は本願の実施例によるコアネットワーク機器を示し、図１０に示すように、コアネットワーク機器２０は、
第１メッセージを確定することに用いられ、前記第１メッセージが前記コアネットワーク機器の過負荷を指示する処理モジュール２１、及び
アクセスネットワーク機器に前記第１メッセージを送信することに用いられ、前記アクセスネットワーク機器は前記第１メッセージに従って、端末機器を前記コアネットワーク機器からターゲットコアネットワーク機器に移行する操作を行うことに用いられ、前記ターゲットコアネットワーク機器と前記コアネットワーク機器とは異なる通信システムをサポートするトランシーバーモジュール２２、を備える。
【０１３９】
このため、本願の実施例によるコアネットワーク機器は自分が過負荷であるのを確定する場合に、アクセスネットワーク機器に過負荷を指示する第１メッセージを送信し、アクセスネットワーク機器は第１メッセージに従って端末機器を該コアネットワーク機器からターゲットコアネットワーク機器に移行する操作を実行させ、端末機器を該コアネットワーク機器からターゲットコアネットワーク機器に移行することができ、該コアネットワークの輻輳問題を解決し、コアネットワーク機器の間のロードバランシングを実現することができ、ユーザーエクスペリエンスを向上させる。
【０１４０】
本願の実施例において、選択可能に、前記トランシーバーモジュール２２は更に、前記ターゲットコアネットワーク機器に第９メッセージを送信することに用いられ、前記第９メッセージは前記コアネットワーク機器が最後に前記アクセスネットワーク機器に送信したデータを指示することに用いられる。
【０１４１】
本願の実施例において、選択可能に、前記トランシーバーモジュール２２は更に、前記アクセスネットワーク機器が送信した第８メッセージを受信することに用いられ、前記第８メッセージは前記端末機器が前記コアネットワーク機器から前記ターゲットコアネットワーク機器に移行したのを指示することに用いられる。
【０１４２】
本願の実施例によるコアネットワーク機器は対応した本願の実施例の方法４００のプロセスを参照することができ、且つ、該コアネットワーク機器における各ユニット／モジュール及び上記のその他の操作及び／又は機能はそれぞれ方法４００における対応したプロセスを実現するためのものであり、簡潔にするために、ここでは繰り返さない。
【０１４３】
図１１は本願の実施例による端末機器を示す。図１１に示すように、端末機器３０は処理モジュール３１とトランシーバーモジュール３２を備え、
前記処理モジュール３１は、前記トランシーバーモジュール３２はアクセスネットワーク機器が送信した第２メッセージを受信するのを制御することに用いられ、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートする。
【０１４４】
このため、本願の実施例による端末機器はアクセスネットワーク機器が送信した第２メッセージを受信し、第２メッセージは端末機器がアクセスネットワーク機器との間に確立したソースコアネットワーク機器に関連する第１接続を解放し、且つアクセスネットワーク機器とターゲットコアネットワーク機器に関連する第２接続を確立することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１４５】
本願の実施例において、選択可能に、前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられる。
【０１４６】
本願の実施例において、選択可能に、前記処理モジュール３１は更に、前記第２メッセージに従って、前記第１接続を解放することに用いられ、
前記トランシーバーモジュール３２は更に、前記アクセスネットワーク機器に第３メッセージを送信することに用いられ、前記第３メッセージは前記アクセスネットワーク機器と前記第２接続を確立することを要求することに用いられる。
【０１４７】
本願の実施例において、選択可能に、前記第３メッセージに第３指示情報が含まれ、前記第３指示情報は前記第２接続を確立するのを要求する理由が前記ソースコアネットワーク機器の過負荷であるのを指示することに用いられる。
【０１４８】
本願の実施例による端末機器は対応した本願の実施例の方法５００のプロセスを参照することができ、且つ、該端末機器における各ユニット／モジュール及び上記のその他の操作及び／又は機能はそれぞれ方法５００における対応したプロセスを実現するためのものであり、簡潔にするために、ここでは繰り返さない。
【０１４９】
或いは、前記処理モジュール３１は、前記トランシーバーモジュール３２はアクセスネットワーク機器が送信した第４メッセージを受信するのを制御することに用いられ、前記第４メッセージにターゲットコアネットワーク機器に関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートする。
【０１５０】
このため、本願の実施例による端末機器はアクセスネットワーク機器が送信した第４メッセージを受信し、第４メッセージは端末機器がターゲットコアネットワーク機器に関連するパラメータに従ってソースコアネットワーク機器に関連する第１接続を再構成することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１５１】
本願の実施例において、選択可能に、前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられる。
【０１５２】
本願の実施例において、選択可能に、前記パラメータは、サービス品質ＱｏＳに関連するパラメータ、セキュリティキー、及び前記ターゲットコアネットワーク機器が属するネットワークスライスに関連するパラメータの中の少なくとも１つを含む。
【０１５３】
本願の実施例において、選択可能に、前記処理モジュール３１は更に、前記パラメータに従って前記第１接続を再構成することに用いられる。
【０１５４】
本願の実施例において、選択可能に、前記第４メッセージに前記第５指示情報が含まれる場合に、前記処理モジュール３１は具体的に、前記発効時間の後に、前記パラメータに従って前記第１接続を再構成することに用いられる。
【０１５５】
本願の実施例による端末機器は対応した本願の実施例の方法６００のプロセスを参照することができ、且つ、該端末機器における各ユニット／モジュール及び上記のその他の操作及び／又は機能はそれぞれ方法６００における対応したプロセスを実現するためのものであり、簡潔にするために、ここでは繰り返さない。
【０１５６】
或いは、前記処理モジュール３１は、前記トランシーバーモジュール３２はアクセスネットワーク機器が送信した第６メッセージを受信するのを制御することに用いられ、前記第６メッセージは前記端末機器が接続再確立プロセスによって前記アクセスネットワーク機器とターゲットコアネットワーク機器に関連する接続を確立するのをトリガーすることに用いられ、前記端末機器をソースコアネットワーク機器から前記ターゲットコアネットワーク機器に移行させ、前記ターゲットコアネットワーク機器と前記ソースコアネットワーク機器は異なる通信システムをサポートする。
【０１５７】
このため、本願の実施例による端末機器はアクセスネットワーク機器が送信した第６メッセージを受信し、第６メッセージは端末機器が接続再確立プロセスによってアクセスネットワーク機器との間にターゲットコアネットワーク機器に関連する接続を確立することをトリガーすることに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１５８】
本願の実施例において、選択可能に、前記第６メッセージに第６指示情報が含まれ、前記第６指示情報は前記接続を確立する理由を指示することに用いられる。
【０１５９】
本願の実施例において、選択可能に、前記処理モジュール３１は更に、前記第６メッセージに従って、接続再確立プロセスを開始し、前記端末機器と前記アクセスネットワーク機器とは前記接続を確立させることに用いられる。
【０１６０】
本願の実施例による端末機器は対応した本願の実施例の方法７００のプロセスを参照することができ、且つ、該端末機器における各ユニット／モジュール及び上記のその他の操作及び／又は機能はそれぞれ方法７００における対応したプロセスを実現するためのものであり、簡潔にするために、ここでは繰り返さない。
【０１６１】
図１２は本願の他の実施例によるアクセスネットワーク機器を示す。図１２に示すように、アクセスネットワーク機器１００はプロセッサー１１０及びトランシーバー１２０を備え、プロセッサー１１０がトランシーバー１２０に接続され、選択可能に、該アクセスネットワーク機器１００はメモリ１３０を更に備え、メモリ１３０がプロセッサー１１０に接続される。プロセッサー１１０、メモリ１３０及びトランシーバー１２０は内部接続通路によって互いに通信することができる。前記トランシーバー１２０は、ソースコアネットワーク機器が送信した第１メッセージを受信することに用いられ、前記第１メッセージは前記ソースコアネットワーク機器の過負荷を指示することに用いられ、前記プロセッサー１１０は、前記第１メッセージに従って、端末機器を前記ソースコアネットワーク機器からターゲットコアネットワーク機器に移行させる操作を行うことに用いられ、前記ターゲットコアネットワーク機器と前記ソースコアネットワーク機器は異なる通信システムをサポートする。
【０１６２】
このため、本願の実施例によるアクセスネットワーク機器はソースコアネットワーク機器が送信した過負荷を指示する第１メッセージを指示した後に、端末機器をソースコアネットワーク機器からターゲットコアネットワーク機器に移行する操作を行い、端末機器をソースコアネットワークからターゲットコアネットワークに移行させることができ、ソースコアネットワーク機器の輻輳問題を解決し、且つコアネットワーク機器の間のロードバランシングを実現することができ、ユーザーエクスペリエンスを向上させる。
【０１６３】
本願の実施例によるアクセスネットワーク機器１００は本願の実施例に対応したアクセスネットワーク機器１０を参照することができ、且つ、該アクセスネットワーク機器における各ユニット／モジュール及び上記のその他の操作及び／又は機能はそれぞれ方法１００における対応したプロセスを実現するためのものであり、簡潔にするために、ここでは繰り返さない。
【０１６４】
図１３は本願の実施例によるコアネットワーク機器の概略ブロック図を示し、図１３に示すように、コアネットワーク機器２００は、プロセッサー２１０及びトランシーバー２２０を備え、プロセッサー２１０がトランシーバー２２０に接続され、選択可能に、前記コアネットワーク機器２００はメモリ２３０を更に備え、メモリ２３０がプロセッサー２１０に接続される。プロセッサー２１０、メモリ２３０及びトランシーバー２２０は内部接続通路によって互いに通信することができる。前記トランシーバー２２０は、第１メッセージを確定することに用いられ、前記第１メッセージが前記コアネットワーク機器の過負荷を指示し、前記トランシーバー２２０は、アクセスネットワーク機器に前記第１メッセージを送信することに用いられ、前記アクセスネットワーク機器は前記第１メッセージに従って、端末機器を前記コアネットワーク機器からターゲットコアネットワーク機器に移行する操作を行うことに用いられ、前記ターゲットコアネットワーク機器と前記コアネットワーク機器とは異なる通信システムをサポートする。
【０１６５】
このため、本願の実施例によるコアネットワーク機器は自分が過負荷であるのを確定する場合に、アクセスネットワーク機器に過負荷を指示する第１メッセージを送信し、アクセスネットワーク機器は第１メッセージに従って端末機器を該コアネットワーク機器からターゲットコアネットワーク機器に移行する操作を実行させ、端末機器を該コアネットワーク機器からターゲットコアネットワーク機器に移行することができ、該コアネットワークの輻輳問題を解決し、コアネットワーク機器の間のロードバランシングを実現することができ、ユーザーエクスペリエンスを向上させる。
【０１６６】
本願の実施例によるコアネットワーク機器２００は本願の実施例に対応したコアネットワーク機器２０を参照することができ、且つ、該コアネットワーク機器における各ユニット／モジュール及び上記のその他の操作及び／又は機能はそれぞれ方法４００における対応したプロセスを実現するためのものであり、簡潔にするために、ここでは繰り返さない。
【０１６７】
図１４は本願の実施例による端末機器の概略ブロック図を示し、図１４に示すように、端末機器３００は、プロセッサー３１０及びトランシーバー３２０を備え、プロセッサー３１０がトランシーバー３２０に接続され、選択可能に、前記端末機器３００はメモリ３３０を更に備え、メモリ３３０がプロセッサー３１０に接続される。プロセッサー３１０、メモリ３３０及びトランシーバー３２０は内部接続通路によって互いに通信することができる。前記プロセッサー３１０は、前記トランシーバー３１０はアクセスネットワーク機器が送信した第２メッセージを受信するのを制御することに用いられ、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートする。
【０１６８】
このため、本願の実施例による端末機器はアクセスネットワーク機器が送信した第２メッセージを受信し、第２メッセージは端末機器がアクセスネットワーク機器との間に確立したソースコアネットワーク機器に関連する第１接続を解放し、且つアクセスネットワーク機器とターゲットコアネットワーク機器に関連する第２接続を確立することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１６９】
本願の実施例による端末機器３００は本願の実施例に対応した端末機器３０を参照することができ、且つ、該端末機器における各ユニット／モジュール及び上記のその他の操作及び／又は機能はそれぞれ方法５００における対応したプロセスを実現するためのものであり、簡潔にするために、ここでは繰り返さない。
【０１７０】
或いは、前記プロセッサー３１０は、前記トランシーバー３２０はアクセスネットワーク機器が送信した第４メッセージを受信することを制御し、前記第４メッセージにターゲットコアネットワーク機器に関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートする。
【０１７１】
このため、本願の実施例による端末機器はアクセスネットワーク機器が送信した第４メッセージを受信し、第４メッセージは端末機器がターゲットコアネットワーク機器に関連するパラメータに従ってソースコアネットワーク機器に関連する第１接続を再構成することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１７２】
本願の実施例による端末機器３００は本願の実施例に対応した端末機器３０を参照することができ、且つ、該端末機器における各ユニット／モジュール及び上記のその他の操作及び／又は機能はそれぞれ方法６００における対応したプロセスを実現するためのものであり、簡潔にするために、ここでは繰り返さない。
【０１７３】
或いは、前記プロセッサー３１０は、前記トランシーバー３２０はアクセスネットワーク機器が送信した第６メッセージを受信することを制御することに用いられ、前記第６メッセージは前記端末機器が接続再確立プロセスによって前記アクセスネットワーク機器とターゲットコアネットワーク機器に関連する接続を確立するのをトリガーすることに用いられ、前記端末機器をソースコアネットワーク機器から前記ターゲットコアネットワーク機器に移行させ、前記ターゲットコアネットワーク機器と前記ソースコアネットワーク機器は異なる通信システムをサポートする。
【０１７４】
このため、本願の実施例による端末機器はアクセスネットワーク機器が送信した第６メッセージを受信し、第６メッセージは端末機器が接続再確立プロセスによってアクセスネットワーク機器との間にターゲットコアネットワーク機器に関連する接続を確立することをトリガーすることに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１７５】
本願の実施例による端末機器３００は本願の実施例に対応した端末機器３０を参照することができ、且つ、該端末機器における各ユニット／モジュール及び上記のその他の操作及び／又は機能はそれぞれ方法７００における対応したプロセスを実現するためのものであり、簡潔にするために、ここでは繰り返さない。
【０１７６】
理解すべきなのは、本願の実施例のプロセッサーは集積回路チップである可能性があり、信号の処理能力を有する。実現過程において、上記の方法実施例の各ステップはプロセッサーにおけるハードウェアの集積ロジック回路或いはソフトウェア形式の命令によって完成されることができる。上記のプロセッサーは汎用プロセッサー、デジタル信号プロセッサー（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）或いはその他のプログラマブルロジックデバイス、離散ゲート或いはトランジスタ論理デバイス、離散ハードウェアコンポーネントであってよい。本願の実施例に開示された各方法、ステップ及び論理ブロック図を実現或いは実行することができる。汎用プロセッサーはマイクロプロセッサーであってよく或いは該プロセッサーは任意の従来のプロセッサー等であってもよい。本発明の実施例に開示された方法を組み合わせたステップはハードウェアデコードプロセッサーにより実行して完成し、或いはデコードプロセッサーにおけるハードウェアとソフトウェアモジュールとの組み合わせにより実行して完成するように直接に体現することができる。ソフトウェアモジュールはランダムアクセスメモリ、フラッシュメモリ、読み出し専用メモリ、プログラム可能読み出し専用メモリまたは電気的消去可能プログラマブルメモリ、レジスタなどの本分野において成熟した記憶媒体に位置することができる。該記憶媒体はメモリに位置し、プロセッサーはメモリにおける情報を読み取り、そのハードウェアを組み合わせて上記方法のステップを完成する。
【０１７７】
理解できるのは、本願の実施例におけるメモリは揮発性メモリ又は不揮発性メモリであってよく、又は揮発性と不揮発性メモリをともに含んでよい。不揮発性メモリは読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み取り専用メモリ（Ｅｒａｓａｂｌｅ  ＰＲＯＭ、ＥＰＲＯＭ）、電気的に消去可能なプログラマブル読み取り専用メモリ（Ｅｌｅｃｔｒｉｃａｌｌｙ  ＥＰＲＯＭ、ＥＥＰＲＯＭ）又はフラッシュメモリであってよい。揮発性メモリはランダムアクセスメモリ（Ｒａｎｄｏｍ  Ａｃｃｅｓｓ  Ｍｅｍｏｒｙ、ＲＡＭ）であってよく、外部キャッシュとして使用される。制限ではなく、例示的な説明によって、複数の形式のＲＡＭを利用することができ、例えばスタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータ速率同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、強化型同期ダイナミックランダムアクセスメモリ（Ｅｎｈａｎｃｅｄ  ＳＤＲＡＭ、ＥＳＤＲＡＭ）、同期接続ダイナミックランダムアクセスメモリ（Ｓｙｎｃｈｌｉｎｋ  ＤＲＡＭ、ＳＬＤＲＡＭ）及び直接メモリバスランダムアクセスメモリ（Ｄｉｒｅｃｔ  Ｒａｍｂｕｓ  ＲＡＭ、ＤＲ  ＲＡＭ）を利用することができる。注意すべきなのは、本文に記載のシステムと方法のメモリはこれらと任意の他の適合なタイプのメモリを含むが、これらに限定されない。
【０１７８】
当業者は、本文に開示された実施例に記載の各例示のユニット及びアルゴリズムステップを組み合わせて、電子ハードウェア、又はコンピュータソフトウェア及び電子ハードウェアの組み合わせで実現することができることを認識することができる。これらの機能はハードウェアで実行するかソフトウェアで実行するかは、技術案の特定のアプリケーションおよび設計制約によって決められる。当業者は各特定のアプリケーションに対して異なる方法で説明した機能を実現することができるが、このような実現は本発明の範囲を超えると考えられない。
【０１７９】
当業者は、便利且つ簡単に説明するために、上記に記載のシステム、装置及びユニットの具体的な作業過程は、上記方法の実施例における対応過程を参照することができ、ここで繰り返して説明しないことを明らかに了解する。
【０１８０】
本願によるいくつかの実施例において、開示したシステム、装置及び方法は、その他の方式によって実現されることができることを理解すべきである。例えば以上のような装置実施例は単に例示的なものだけであり、例えば、前記ユニットの分割は、ロジック機能分割だけであり、実際な実現時に別の分割方式があり、例えば、複数のユニット又は組立部品を結合してもよいし、又は別のシステムに集積してもよいし、又はいくつかの特徴を無視でき、又は実行しなくてもよい。また、表示又は検討した互いの間にカップリング、又は直接カップリング、又は通信接続はいくつかのインターフェース、装置又はユニットによる間接カップリング又は通信接続であってよく、電気的、機械的又はその形式の接続であってもよい。
【０１８１】
上記の分離部材として説明したユニットは物理的に分離してもよいし、又は分離しなくてもよく、ユニットとして表示する部材は物理ユニットであってもよいし、又は物理ユニットではなくてもよく、即ち１つの場所に位置してもよいし、複数のネットワークユニットに分布してもよい。実際の需要に応じてその中の一部又は全部のユニットを選択して本実施例手段の目的を実現することができる。
【０１８２】
また、本発明の各実施例における各機能ユニットは１つの処理ユニットに集積されてもよいし、各ユニットは単独に物理的に存在してもよいし、２つ又は２つ以上のユニットは１つのユニットに集積されてもよい。
【０１８３】
前記機能はソフトウェア機能ユニットの形式で実現するとともに独立した製品として販売又は使用される場合、1つのコンピューター読み取り可能な記憶媒体に記憶することができる。このような理解に基づいて、本願の実施例の技術的解決手段は本質的或いは従来技術に貢献する部分は或いは該技術的解決手段の部分はソフトウェア製品の形式で表現することができ、該コンピュータソフトウェア製品が１つの記憶媒体に記憶され、一台のコンピューター設備（パーソナルコンピュータ、サーバー、或いはネットワーク設備等である）が本発明の各実施例に記載の方法の全部又は一部を実行するための若干の指令を含む。前述の記憶媒体は、Ｕディスク、モバイルハードディスク、読み出し専用記憶装置（Ｒｅａｄ−Ｏｎｌｙ  Ｍｅｍｏｒｙ、）ＲＯＭ、ランダムアクセスメモリ（Ｒａｎｄｏｍ  Ａｃｃｅｓｓ  Ｍｅｍｏｒｙ、ＲＡＭ）、ディスク或いはＣＤ等の様々なプログラムコードを記憶できる媒体である。
【０１８４】
以上のように、本願の具体的な実施形態だけであるが、本願の保護範囲はこれに制限されなく、当業者の誰でも本願が開示した技術範囲において、容易に考えた変化又は置換は、全て本願の保護範囲に含まれる。このため、本願の保護範囲を前記請求項の保護範囲を基準とすべきである。
【図１】
2020519076.tif 000003
【図２】
2020519076.tif 000004
【図３】
2020519076.tif 000005
【図４】
2020519076.tif 000006
【図５】
2020519076.tif 000007
【図６】
2020519076.tif 000008
【図７】
2020519076.tif 000009
【図８】
2020519076.tif 000010
【図９】
2020519076.tif 000011
【図１０】
2020519076.tif 000012
【図１１】
2020519076.tif 000013
【図１２】
2020519076.tif 000014
【図１３】
2020519076.tif 000015
【図１４】
2020519076.tif 000016
【手続補正書】
【提出日】令和2年4月2日(2020.4.2)
【手続補正１】
【補正対象書類名】明細書
【補正対象項目名】全文
【補正方法】変更
【補正の内容】
【発明の詳細な説明】
【技術分野】
【０００１】
本願の実施例は通信分野に関し、且つより具体的に、輻輳処理のための方法及び機器に関する。
【背景技術】
【０００２】
無線通信システムにおいて、基地局は２つのコアネットワーク機器に同時に接続されることができる。例えば、基地局はロングタームエボリューション（Ｌｏｎｇ  Ｔｅｒｍ  Ｅｖｏｌｕｔｉｏｎ、ＬＴＥ）システムにおけるコアネットワーク機器と第５世代移動通信（５ｔｈ−Ｇｅｎｅｒａｔｉｏｎ、５Ｇ）システムにおけるコアネットワーク機器を同時に接続することができる。しかしながら、端末機器は接続を確立する際に、１つのコアネットワーク機器のみを選択してアクセスする。数多くの端末機器は同一のコアネットワーク機器にアクセスすると、このコアネットワーク機器が混雑になる。
【０００３】
それにより、コアネットワーク機器の輻輳問題を解決し、コアネットワーク機器の間のロードバランシングを実現し、ユーザーエクスペリエンスを向上させるように、輻輳処理のための方法を提供する必要がある。
【発明の概要】
【発明が解決しようとする課題】
【０００４】
本願は輻輳処理のための方法及び機器を提供し、コアネットワーク機器の輻輳問題を解決し、コアネットワーク機器の間のロードバランシングを実現し、ユーザーエクスペリエンスを向上させることができる。
【課題を解決するための手段】
【０００５】
第１態様は、輻輳処理のための方法を提供し、アクセスネットワーク機器はソースコアネットワーク機器が送信した第１メッセージを受信し、前記第１メッセージは前記ソースコアネットワーク機器の過負荷を指示することに用いられるステップと、前記アクセスネットワーク機器は前記第１メッセージに従って、端末機器を前記ソースコアネットワーク機器からターゲットコアネットワーク機器に移行させる操作を行い、前記ターゲットコアネットワーク機器と前記ソースコアネットワーク機器は異なる通信システムをサポートするステップと、を含む。
【０００６】
本願の輻輳処理のための方法は、アクセスネットワーク機器はソースコアネットワーク機器が送信した過負荷を指示する第１メッセージを指示した後に、端末機器をソースコアネットワーク機器からターゲットコアネットワーク機器に移行する操作を行い、端末機器をソースコアネットワークからターゲットコアネットワークに移行させることができ、ソースコアネットワーク機器の輻輳問題を解決し、且つコアネットワーク機器の間のロードバランシングを実現することができ、ユーザーエクスペリエンスを向上させる。
【０００７】
第１態様を組み合わせ、第１態様の１つの実現方法において、前記端末機器を前記ソースコアネットワーク機器からターゲットコアネットワーク機器に移行させる操作は、前記端末機器に第２メッセージを送信し、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であることを含む。
【０００８】
第１態様及びその上記の実現方法を組み合わせ、第１態様の他の実現方法において、前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられる。
【０００９】
第１態様及びその上記の実現方法を組み合わせ、第１態様の他の実現方法において、前記端末機器を前記ソースコアネットワーク機器からターゲットコアネットワーク機器に移行させる操作は、前記端末機器が送信した第３メッセージを受信し、前記第３メッセージは前記アクセスネットワーク機器と前記第２接続を確立することを要求することに用いられること、及び前記第３メッセージに従って、前記端末機器と前記第２接続を確立することを含む。
【００１０】
第１態様及びその上記の実現方法を組み合わせ、第１態様の他の実現方法において、前記第３メッセージに第３指示情報が含まれ、前記第３指示情報は、前記第２接続を確立するのを要求する理由が前記ソースコアネットワーク機器の過負荷であるのを指示することに用いられる。
【００１１】
第１態様及びその上記の実現方法を組み合わせ、第１態様の他の実現方法において、前記端末機器を前記ソースコアネットワーク機器からターゲットコアネットワーク機器に移行させる操作は、前記端末機器に第４メッセージを送信し、前記第４メッセージに前記ターゲットコアネットワークに関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であることを含む。
【００１２】
第１態様及びその上記の実現方法を組み合わせ、第１態様の他の実現方法において、前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられる。
【００１３】
第１態様及びその上記の実現方法を組み合わせ、第１態様の他の実現方法において、前記パラメータは、サービス品質ＱｏＳに関連するパラメータ、セキュリティキー、及び前記ターゲットコアネットワーク機器が属するネットワークスライスに関連するパラメータの中の少なくとも１つを含む。
【００１４】
第１態様及びその上記の実現方法を組み合わせ、第１態様の他の実現方法において、前記端末機器を前記ソースコアネットワーク機器からターゲットコアネットワーク機器に移行させる操作は、前記ターゲットコアネットワーク機器に第５メッセージを送信し、前記第５メッセージは前記ターゲットコアネットワーク機器が前記パラメータを構成することを要求することに用いられ、及び／又は、前記第５メッセージは前記ターゲットコアネットワーク機器との間のベアラーを確立することを要求することに用いられることを更に含む。
【００１５】
第１態様及びその上記の実現方法を組み合わせ、第１態様の他の実現方法において、前記端末機器を前記ソースコアネットワーク機器からターゲットコアネットワーク機器に移行させる操作は、
前記端末機器に第６メッセージを送信し、前記第６メッセージは前記端末機器がトリガー接続再確立プロセスによって前記アクセスネットワーク機器と前記ターゲットコアネットワーク機器に関連する接続を確立することに用いられることを含む。
【００１６】
第１態様及びその上記の実現方法を組み合わせ、第１態様の他の実現方法において、前記第６メッセージに第６指示情報が含まれ、前記第６指示情報は前記接続を確立する理由を指示することに用いられる。
【００１７】
第１態様及びその上記の実現方法を組み合わせ、第１態様の他の実現方法において、前記端末機器を前記ソースコアネットワーク機器からターゲットコアネットワーク機器に移行させる操作は、前記コアネットワーク機器との間のベアラーを確立することを含む。
【００１８】
第１態様及びその上記の実現方法を組み合わせ、第１態様の他の実現方法において、前記アクセスネットワーク機器は前記ターゲットコアネットワーク機器との間のベアラーを確立した後に、前記方法は、前記アクセスネットワーク機器は前記ターゲットコアネットワーク機器に第７メッセージを送信し、前記第７メッセージは前記アクセスネットワーク機器が最後に受信したデータを指示することに用いられるステップを更に含む。
【００１９】
第１態様及びその上記の実現方法を組み合わせ、第１態様の他の実現方法において、前記方法は、前記アクセスネットワーク機器は前記ソースコアネットワーク機器に第８メッセージを送信し、前記第８メッセージは前記端末機器が前記ソースコアネットワーク機器から前記ターゲットコアネットワーク機器に移行したことを指示することに用いられるステップを更に含む。
【００２０】
第２態様は、輻輳処理のための方法を提供し、ソースコアネットワーク機器は第１メッセージを確定し、前記第１メッセージは前記ソースコアネットワーク機器の過負荷を指示するステップと、前記ソースコアネットワーク機器はアクセスネットワーク機器に前記第１メッセージを送信し、前記アクセスネットワーク機器は前記第１メッセージに従って、端末機器を前記ソースコアネットワーク機器からターゲットコアネットワーク機器に移行させる操作を行うことに用いられ、前記ターゲットコアネットワーク機器と前記ソースコアネットワーク機器は異なる通信システムをサポートするステップと、を含むことを特徴とする。
【００２１】
本願の実施例による輻輳処理のための方法は、ソースコアネットワーク機器は自分が過負荷であるのを確定する場合に、アクセスネットワーク機器に過負荷を指示する第１メッセージを送信し、アクセスネットワーク機器は第１メッセージに従って端末機器をソースコアネットワーク機器からターゲットコアネットワーク機器に移行する操作を実行させ、端末機器をソースコアネットワーク機器からターゲットコアネットワーク機器に移行させることができ、ソースコアネットワークの輻輳問題を解決し、コアネットワーク機器の間のロードバランシングを実現することができ、ユーザーエクスペリエンスを向上させる。
【００２２】
第２態様を組み合わせ、第２態様の１つの実現方法において、前記方法は、前記ソースコアネットワーク機器は前記ターゲットコアネットワーク機器に第９メッセージを送信し、前記第９メッセージは前記ソースコアネットワーク機器が最後に前記アクセスネットワーク機器に送信したデータを指示することに用いられるステップを更に含む。
【００２３】
第２態様及びその上記の実現方法を組み合わせ、第２態様の１つの実現方法において、前記方法は、前記ソースコアネットワーク機器は前記アクセスネットワーク機器が送信した第８メッセージを受信し、前記第８メッセージは前記端末機器が前記ソースコアネットワーク機器から前記ターゲットコアネットワーク機器に移行したことを指示することに用いられるステップを更に含む。
【００２４】
第３態様は、輻輳処理のための方法を提供し、端末機器はアクセスネットワーク機器が送信した第２メッセージを受信し、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートするステップを含む。
【００２５】
本願の輻輳処理のための方法は、端末機器はアクセスネットワーク機器が送信した第２メッセージを受信し、第２メッセージは端末機器がアクセスネットワーク機器との間に確立したソースコアネットワーク機器に関連する第１接続を解放し、且つアクセスネットワーク機器とターゲットコアネットワーク機器に関連する第２接続を確立することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【００２６】
第３態様を組み合わせ、第３態様の１つの実現方法において、前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられる。
【００２７】
第３態様及びその上記の実現方法を組み合わせ、第３態様の他の実現方法において、前記方法は、前記端末機器は前記第２メッセージに従って、前記第１接続を解放するステップと、前記端末機器は前記アクセスネットワーク機器に第３メッセージを送信し、前記第３メッセージは前記アクセスネットワーク機器と前記第２接続を確立することを要求することに用いられるステップと、を更に含む。
【００２８】
第３態様及びその上記の実現方法を組み合わせ、第３態様の他の実現方法において、前記第３メッセージに第３指示情報が含まれ、前記第３指示情報は前記第２接続を確立するのを要求する理由が前記ソースコアネットワーク機器の過負荷であるのを指示することに用いられる。
【００２９】
第４態様は、輻輳処理のための方法を提供し、端末機器はアクセスネットワーク機器が送信した第４メッセージを受信し、前記第４メッセージにターゲットコアネットワーク機器に関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートするステップを含む。
【００３０】
本願の輻輳処理のための方法は、端末機器はアクセスネットワーク機器が送信した第４メッセージを受信し、第４メッセージは端末機器がターゲットコアネットワーク機器に関連するパラメータに従ってソースコアネットワーク機器に関連する第１接続を再構成することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【００３１】
第４態様を組み合わせ、第４態様の１つの実現方法において、前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられる。
【００３２】
第４態様及びその上記の実現方法を組み合わせ、第４態様の他の実現方法において、前記パラメータは、サービス品質ＱｏＳに関連するパラメータ、セキュリティキー、及び前記ターゲットコアネットワーク機器が属するネットワークスライスに関連するパラメータの中の少なくとも１つを含む。
【００３３】
第４態様及びその上記の実現方法を組み合わせ、第４態様の他の実現方法において、前記方法は、前記端末機器は前記パラメータに従って前記第１接続を再構成するステップを更に含む。
【００３４】
第４態様及びその上記の実現方法を組み合わせ、第４態様の他の実現方法において、前記第４メッセージに前記第５指示情報が含まれる場合に、前記端末機器は前記パラメータに従って前記第１接続を再構成するのは、前記端末機器が前記発効時間の後に、前記パラメータに従って前記第１接続を再構成することを含む。
【００３５】
第５態様は、輻輳処理のための方法を提供し、端末機器はアクセスネットワーク機器が送信した第６メッセージを受信し、前記第６メッセージは前記端末機器が接続再確立プロセスによって前記アクセスネットワーク機器とターゲットコアネットワーク機器に関連する接続を確立するのをトリガーすることに用いられ、前記端末機器をソースコアネットワーク機器から前記ターゲットコアネットワーク機器に移行させ、前記ターゲットコアネットワーク機器と前記ソースコアネットワーク機器は異なる通信システムをサポートする。
【００３６】
本願の輻輳処理のための方法は、端末機器はアクセスネットワーク機器が送信した第６メッセージを受信し、第６メッセージは端末機器が接続再確立プロセスによってアクセスネットワーク機器との間にターゲットコアネットワーク機器に関連する接続を確立することをトリガーすることに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【００３７】
第５態様を組み合わせ、第５態様の１つの実現方法において、前記第６メッセージに第６指示情報が含まれ、前記第６指示情報は前記接続を確立する理由を指示することに用いられる。
【００３８】
第５態様及びその上記の実現方法を組み合わせ、第５態様の１つの実現方法において、前記方法は、前記端末機器は前記第６メッセージに従って、接続再確立プロセスを開始し、前記アクセスネットワーク機器と前記接続を確立するステップを更に含む。
【００３９】
第６態様は、アクセスネットワーク機器を提供し、上記第１態様又は第１態様の任意の可能な実現方法における方法を実行することに用いられる。具体的に、前記アクセスネットワーク機器は上記第１態様又は第１態様の任意の可能な実現方法における方法を実行するための機能モジュールを含む。
【００４０】
第７態様は、コアネットワーク機器を提供し、上記第２態様又は第２態様の任意の可能な実現方法における方法を実行することに用いられる。具体的に、前記コアネットワーク機器は上記第２態様又は第２態様の任意の可能な実現方法における方法を実行するための機能モジュールを含む。
【００４１】
第８態様は、端末機器を提供し、上記第３態様又は第３態様の任意の可能な実現方法における方法を実行することに用いられる。具体的に、前記端末機器は上記第３態様又は第３態様の任意の可能な実現方法における方法を実行するための機能モジュールを含む。
【００４２】
第９態様は、端末機器を提供し、上記第４態様又は第４態様の任意の可能な実現方法における方法を実行することに用いられる。具体的に、前記端末機器は上記第４態様又は第４態様の任意の可能な実現方法における方法を実行するための機能モジュールを含む。
【００４３】
第１０態様は、端末機器を提供し、上記第５態様又は第５態様の任意の可能な実現方法における方法を実行することに用いられる。具体的に、前記端末機器は上記第５態様又は第５態様の任意の可能な実現方法における方法を実行するための機能モジュールを含む。
【００４４】
第１１態様は、アクセスネットワーク機器を提供し、プロセッサー、メモリ及びトランシーバーを備える。前記プロセッサー、前記メモリ及び前記トランシーバーの間に内部接続通路によって互いに通信し、制御及び／又はデータ信号を伝達し、前記アクセスネットワーク機器は上記第１態様又は第１態様の任意の可能な実現方法における方法を実行させる。  
【００４５】
第１２態様は、コアネットワーク機器を提供し、プロセッサー、メモリ及びトランシーバーを備える。前記プロセッサー、前記メモリ及び前記トランシーバーの間に内部接続通路によって互いに通信し、制御及び／又はデータ信号を伝達し、前記コアネットワーク機器は上記第２態様又は第２態様の任意の可能な実現方法における方法を実行させる。  
【００４６】
第１３態様は、端末機器を提供し、プロセッサー、メモリ及びトランシーバーを備える。前記プロセッサー、前記メモリ及び前記トランシーバーの間に内部接続通路によって互いに通信し、制御及び／又はデータ信号を伝達し、前記端末機器は上記第３態様又は第３態様の任意の可能な実現方法における方法を実行させる。  
【００４７】
第１４態様は、端末機器を提供し、プロセッサー、メモリ及びトランシーバーを備える。前記プロセッサー、前記メモリ及び前記トランシーバーの間に内部接続通路によって互いに通信し、制御及び／又はデータ信号を伝達し、前記端末機器は上記第４態様又は第４態様の任意の可能な実現方法における方法を実行させる。
【００４８】
第１５態様は、端末機器を提供し、プロセッサー、メモリ及びトランシーバーを備える。前記プロセッサー、前記メモリ及び前記トランシーバーの間に内部接続通路によって互いに通信し、制御及び／又はデータ信号を伝達し、前記端末機器は上記第５態様又は第５態様の任意の可能な実現方法における方法を実行させる。  
【００４９】
第１６態様は、コンピューター読み取り可能な媒体を提供し、コンピュータープログラムを記憶することに用いられ、前記コンピュータープログラムは上記第１態様又は第１態様の任意の可能な実現方法を実行するための命令を含む。
【００５０】
第１７態様は、コンピューター読み取り可能な媒体を提供し、コンピュータープログラムを記憶することに用いられ、前記コンピュータープログラムは上記第２態様又は第２態様の任意の可能な実現方法を実行するための命令を含む。
【００５１】
第１８態様は、コンピューター読み取り可能な媒体を提供し、コンピュータープログラムを記憶することに用いられ、前記コンピュータープログラムは上記第３態様又は第３態様の任意の可能な実現方法を実行するための命令を含む。
【００５２】
第１９態様は、コンピューター読み取り可能な媒体を提供し、コンピュータープログラムを記憶することに用いられ、前記コンピュータープログラムは上記第４態様又は第４態様の任意の可能な実現方法を実行するための命令を含む。
【００５３】
第２０態様は、コンピューター読み取り可能な媒体を提供し、コンピュータープログラムを記憶することに用いられ、前記コンピュータープログラムは上記第５態様又は第５態様の任意の可能な実現方法を実行するための命令を含む。
【図面の簡単な説明】
【００５４】
【図１】本願の実施例による応用シナリオの模式図である。
【図２】本願の実施例による輻輳処理のための方法の概略フローチャートである。
【図３】本願の一具体的な実施例による輻輳処理のための方法の概略フローチャートである。
【図４】本願の他の具体的な実施例による輻輳処理のための方法の概略フローチャートである。
【図５】本願の他の実施例による輻輳処理のための方法の概略フローチャートである。
【図６】本願の更なる実施例による輻輳処理のための方法の概略フローチャートである。
【図７】本願の更なる実施例による輻輳処理のための方法の概略フローチャートである。
【図８】本願の更なる実施例による輻輳処理のための方法の概略フローチャートである。
【図９】本願の実施例によるアクセスネットワーク機器の概略ブロック図である。
【図１０】本願の実施例によるコアネットワーク機器の概略ブロック図である。
【図１１】本願の実施例による端末機器の概略ブロック図である。
【図１２】本願の他の実施例によるアクセスネットワーク機器の概略ブロック図である。
【図１３】本願の他の実施例によるコアネットワーク機器の概略ブロック図である。
【図１４】本願の他の実施例による端末機器の概略ブロック図である。
【発明を実施するための形態】
【００５５】
以下、本願の実施例における図面を組み合わせ、本願の実施例における技術的解決手段を明らかで、完全に説明する。
【００５６】
理解すべきなのは、本願の実施例による技術的解決手段は、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、一般パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割デュプレックス（Ｆｒｅｑｕｅｎｃｙ  Ｄｉｖｉｓｉｏｎ  Ｄｕｐｌｅｘ、ＦＤＤ）システム、ＬＴＥ時分割デュプレックス（Ｔｉｍｅ  Ｄｉｖｉｓｉｏｎ  Ｄｕｐｌｅｘ、ＴＤＤ）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）又はグローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、第５世代移動通信（５ｔｈ−Ｇｅｎｅｒａｔｉｏｎ、５Ｇ）システム、又は新しい無線（Ｎｅｗ  Ｒａｄｉｏ，  ＮＲ）システムの様々な通信システムに応用できる。
【００５７】
本願の実施例において、端末機器は移動局（Ｍｏｂｉｌｅ  Ｓｔａｔｉｏｎ、ＭＳ）、モバイル端末（Ｍｏｂｉｌｅ  Ｔｅｒｍｉｎａｌ）、モバイル電話（Ｍｏｂｉｌｅ  Ｔｅｌｅｐｈｏｎｅ）、ユーザー機器（Ｕｓｅｒ  Ｅｑｕｉｐｍｅｎｔ、ＵＥ）、携帯電話（ｈａｎｄｓｅｔ）及びポータブル機器（ｐｏｒｔａｂｌｅ  ｅｑｕｉｐｍｅｎｔ）、車両（ｖｅｈｉｃｌｅ）等を含んでよいが、これらに制限されなく、該端末機器は無線アクセスネットワーク（Ｒａｄｉｏ  Ａｃｃｅｓｓ  Ｎｅｔｗｏｒｋ、ＲＡＮ）を介して１つ又は複数のコアネットワークと通信することができ、例えば、端末機器はモバイル電話（又は「セルラー」電話と呼ばれる）、無線通信機能を有するコンピューター等であってよく、端末機器はポータブル、ポケット、ハンドヘルド、コンピューターに内蔵された又は車載の移動装置であってもよい。
【００５８】
本願の実施例に関したアクセスネットワーク機器は無線アクセスネットワークに配置されて端末機器のために無線通信機能を提供するための装置である。前記アクセスネットワーク機器は基地局であってよく、前記基地局は様々な形のマクロ基地局、マイクロ基地局、中継局、アクセスポイント等を含んでよい。異なる無線アクセス技術を採用したシステムにおいて、基地局機能を有する機器の名称は異なる可能性がある。例えばＬＴＥネットワークにおいて、進化したノードＢ（Ｅｖｏｌｖｅｄ  ＮｏｄｅＢ、ｅＮＢ又はｅＮｏｄｅＢ）と呼ばれ、第３世代（３ｒｄ  Ｇｅｎｅｒａｔｉｏｎ、３Ｇ）ネットワークにおいて、ノードＢ（Ｎｏｄｅ  Ｂ）等と呼ばれる。
【００５９】
本願の実施例に関したコアネットワーク機器はコアネットワークに配置されて端末機器のために無線通信機能を提供するための装置である。前記コアネットワーク機器はモバイル管理エンティティ（Ｍｏｂｉｌｅ  Ｍａｎａｇｅｍｅｎｔ  Ｅｎｔｉｔｙ、ＭＭＥ）であってよい。
【００６０】
図１は本願の実施例による応用シナリオの模式図である。図１に示すように、基地局は同時に２つの通信システムにおけるコアネットワーク機器（ＬＴＥにおけるコアネットワーク機器と５Ｇにおけるコアネットワーク機器）に接続される。端末機器は接続を確立する必要がある場合に、端末機器はその中の１つのコアネットワーク機器を選択してアクセスする。２つのコアネットワーク機器の中の一方に輻輳がある場合に、このコアネットワーク機器における端末機器を他のコアネットワーク機器に移行する必要があり、コアネットワーク機器の間のロードバランシングを実現する。
【００６１】
本願は輻輳処理のための方法を提供し、上記シナリオでのコアネットワーク機器の輻輳問題を解決することができ、コアネットワーク機器の間のロードバランシングを実現し、ユーザーエクスペリエンスを向上させる。
【００６２】
以下、本願の実施例による輻輳処理のための方法を詳細的に説明する。図２は本願の実施例による輻輳処理のための方法を示す。図２に示すように、方法１００は、以下のステップを含み、
Ｓ１１０、アクセスネットワーク機器はソースコアネットワーク機器が送信した第１メッセージを受信し、前記第１メッセージは前記ソースコアネットワーク機器の過負荷を指示することに用いられ、
Ｓ１２０、アクセスネットワーク機器は前記第１メッセージに従って、端末機器を前記ソースコアネットワーク機器からターゲットコアネットワーク機器に移行させる操作を行い、前記ターゲットコアネットワーク機器と前記ソースコアネットワーク機器は異なる通信システムをサポートする。
【００６３】
一実施例において、Ｓ１１０において、第１メッセージにソースコアネットワーク機器の識別子が携えられ、アクセスネットワーク機器は第１メッセージを受信した後に、第１メッセージにおける識別子に従ってソースコアネットワーク機器に輻輳があるのを確定する。更に、第１メッセージに理由指示情報を更に含んでよく、理由指示情報は輻輳がどのような理由またはどのようなビジネスによって引き起こされるのを指示することに用いられる。
【００６４】
一実施例において、Ｓ１１０において、第１メッセージにソースコアネットワーク機器の負荷量が携えられ、アクセスネットワーク機器はソースコアネットワーク機器の負荷量に従ってソースコアネットワークの過負荷を確定する。
【００６５】
一実施例において、Ｓ１２０において、アクセスネットワーク機器は第１メッセージに従って、端末機器をソースコアネットワーク機器からターゲットコアネットワーク機器に移行する操作を行う前に、アクセスネットワーク機器は前記ターゲットコアネットワーク機器と前記端末機器を確定する必要がある。
【００６６】
例として、第１メッセージにターゲットコアネットワーク機器の識別子が携えられ、アクセスネットワーク機器は第１メッセージにおける識別子に従ってターゲットコアネットワーク機器を確定する。或いは端末機器はアクセスネットワーク機器と接続を確立する際に、端末機器がアクセスネットワーク機器に自分がアクセスできるコアネットワーク機器のタイプ及び／又はコアネットワーク機器の識別子を報告し、アクセスネットワーク機器は端末機器が報告した情報に従ってターゲットコアネットワーク機器を確定する。或いはアクセスネットワーク機器は端末機器がコアネットワーク機器の能力と現在のビジネスに従ってターゲットコアネットワーク機器を確定する。
【００６７】
例として、アクセスネットワーク機器は移行する必要がある端末機器を確定する際に、端末機器がコアネットワーク機器をサポートする能力に応じて確定することができる。例えば、仮にソースコアネットワーク機器はＬＴＥ通信システムにおけるコアネットワーク機器であり、ターゲットコアネットワーク機器は５Ｇ通信システムにおけるコアネットワーク機器であり、１つの端末機器はＬＴＥ通信システムにおけるコアネットワーク機器のみをサポートすると、該端末機器がソースコアネットワークからターゲットコアネットワーク機器に移行するには不便である。１つの端末機器はＬＴＥ通信システムにおけるコアネットワーク機器と５Ｇ通信システムにおけるコアネットワーク機器の両方をサポートすると、該端末機器をソースコアネットワーク機器からターゲットコアネットワーク機器に移行することができ、ソースコアネットワーク機器の負荷を低下させるようにする。
【００６８】
更に、１つの端末機器はソースコアネットワーク機器とターゲットコアネットワーク機器の両方をサポートすると、アクセスネットワーク機器は端末機器の現在のビジネスに従って該端末機器を移行するか否かを確定することができる。例えば、ソースコアネットワーク機器のみは端末機器の現在のビジネスをサポートすると、該端末機器をソースコアネットワークからターゲットコアネットワークに切り換えるには不便である。ソースコアネットワーク機器とターゲットコアネットワーク機器とは端末機器の現在ビジネスを同時にサポートすると、該端末機器をソースコアネットワーク機器からターゲットコアネットワーク機器に移行することができ、ソースコアネットワーク機器の負荷を低下させるようにする。
【００６９】
本願の実施例において、アクセスネットワーク機器は以下のいくつかの方法によって端末機器をソースコアネットワーク機器からターゲットコアネットワーク機器に移行させることができる。
【００７０】
方法１
アクセスネットワーク機器は端末機器に第２メッセージを送信し、第２メッセージは端末機器が第１接続を解放して、且つアクセスネットワーク機器とターゲットコアネットワーク機器に関連する第２接続を確立するのを指示することに用いられ、第１接続は端末機器とアクセスネットワーク機器との間に確立したソースコアネットワーク機器に関連する接続である。
【００７１】
一実施例において、第２メッセージに第１指示情報及び／又は第２指示情報が含まれ、第１指示情報は第１接続を解放する理由を指示し、第２指示情報はターゲットコアネットワーク機器を指示し、第２指示情報は例えばターゲットコアネットワーク機器の識別子又はターゲットコアネットワーク機器のタイプであってよい。
【００７２】
対応的に、端末機器は第２メッセージを受信した後に、第２メッセージに従って第１接続を解放し、且つアクセスネットワーク機器にアクセスネットワーク機器と第２接続を確立するのを要求するための第３メッセージを送信する。
【００７３】
更に、第３メッセージに第３指示情報が含まれ、第３指示情報は第２接続を確立するのを要求する理由がソースコアネットワーク機器の過負荷であることを指示することに用いられる。
【００７４】
更に、アクセスネットワーク機器は端末機器と第２接続を確立した後に、アクセスネットワーク機器がターゲットコアネットワーク機器とベアラーを確立する。
【００７５】
方法２
アクセスネットワーク機器は端末機器に第４メッセージを送信し、第４メッセージにターゲットコアネットワーク機器に関連するパラメータが含まれ、第４メッセージは端末機器が前記パラメータに従って第１接続を再構成するのを指示することに用いられ、第１接続は端末機器とアクセスネットワーク機器との間に確立したソースコアネットワーク機器に関連する接続である。
【００７６】
例として、第４メッセージに第４指示情報及び／又は第５指示情報が含まれ、第４指示情報は第１接続を再構成する理由を指示することに用いられ、第５指示情報は前記パラメータの発効時間を指示することに用いられる。
【００７７】
対応的に、端末機器は第４メッセージを受信した後に、第４メッセージに従って第１接続を再構成する。更に、第４メッセージに第５指示情報が含まれると、端末機器は前記パラメータの発効時間の後に、第４メッセージに従って第１接続を再構成する。
【００７８】
具体的に、いくつかの実施例において、アクセスネットワーク機器は第５指示情報によって前記パラメータは端末機器が前記第４メッセージを受信した時点から第１時間を経た後に発効することを指示することができる。端末機器は第４メッセージを受信する際にタイマーをオンにし、タイマーのタイミング時間は前記第１時間である。タイマーがタイムアウトする場合に、端末機器は前記パラメータが発効し始めることを考え、前記パラメータに従って第１接続を再構成する。或いは端末機器は第４メッセージを受信する際にタイマーをオンにし、タイマーのタイミング時間は前記第１時間であり、タイマーが終了する際に、端末機器は前記パラメータが発効し始めることを考え、前記パラメータに従って第１接続を構成する。
【００７９】
一実施例において、アクセスネットワーク機器は端末機器に第４メッセージを送信する前に、ターゲットコアネットワーク機器に第５メッセージを送信することができ、第５メッセージはターゲットコアネットワーク機器が前記パラメータを構成するのを要求することに用いられ、及び／又は第５メッセージはターゲットコアネットワーク機器との間のベアラーを確立するのを要求することに用いられる。或いはアクセスネットワーク機器は端末機器に第４メッセージを送信した後に、ターゲットコアネットワーク機器に第５メッセージを送信することができる。ターゲットアクセスネットワーク機器は第５メッセージを受信した後に、端末機器のために前記パラメータを構成し及び／又はアクセスネットワーク機器とベアラーを確立する。
【００８０】
アクセスネットワーク機器と端末機器との間に接続を確立し、且つターゲットコアネットワーク機器とベアラーを確立した後に、アクセスネットワーク機器はターゲットコアネットワーク機器に第７メッセージを送信し、第７メッセージはアクセスネットワーク機器が最後に受信したデータを指示することに用いられる。及び／又はアクセスネットワーク機器はソースコアネットワーク機器に第８メッセージを送信し、第８メッセージは端末機器がソースコアネットワーク機器からターゲットコアネットワーク機器に移行したのを指示することに用いられる。
【００８１】
一実施例において、第７メッセージにアクセスネットワーク機器が最後に受信したデータが含まれる。或いは第７メッセージにアクセスネットワーク機器が最後に受信したデータの関連情報が含まれ、ここの関連情報は例えばパケットの識別子であってよい。ターゲットコアネットワーク機器は第７メッセージを受信した後に、第７メッセージに従ってソースコアネットワーク機器がアクセスネットワーク機器に送信したデータを確定することができる。
【００８２】
上記実施例において、前記パラメータは、サービス品質（Ｑｕａｌｉｔｙ  ｏｆ  Ｓｅｒｖｉｃｅ、ＱｏＳ）に関連するパラメータ、セキュリティキー、及び前記ターゲットコアネットワーク機器が属するネットワークスライスに関連するパラメータの中の少なくとも１つを含む。
【００８３】
方法３
アクセスネットワーク機器は端末機器に第６メッセージを送信し、第６メッセージは端末機器が接続再確立プロセスによってアクセスネットワーク機器とターゲットコアネットワーク機器に関連する接続を確立するのをトリガーすることに用いられ、端末機器をソースコアネットワーク機器からターゲットコアネットワーク機器に移行させるようにする。
【００８４】
対応的に、端末機器は第６メッセージを受信した後に、第６メッセージに従って接続再確立プロセスを開始し、アクセスネットワーク機器と接続を確立する。
【００８５】
説明する必要があるのは、本願の実施例における接続再確立プロセスは従来の技術における対応したプロセスと同様である。本願の実施例における接続再確立プロセスはアクセスネットワーク機器によりトリガーされるという違いがある。
【００８６】
一実施例において、アクセスネットワーク機器は端末機器に第６メッセージを送信する前に、ターゲットコアネットワーク機器に第５メッセージを送信することができ、第５メッセージはターゲットコアネットワーク機器が前記ターゲットコアネットワーク機器に関連するパラメータを構成するのを要求することに用いられ、及び／又は第５メッセージは、ターゲットコアネットワーク機器との間のベアラーを確立するのを要求することに用いられる。或いはアクセスネットワーク機器は端末機器に第６メッセージを送信した後に、ターゲットコアネットワーク機器に第５メッセージを送信することができる。ターゲットアクセスネットワーク機器は第５メッセージを受信した後に、端末機器のために前記パラメータを構成し及び／又はアクセスネットワーク機器とベアラーを確立する。
【００８７】
アクセスネットワーク機器と端末機器との間に接続を確立して、且つターゲットコアネットワーク機器とベアラーを確立した後に、アクセスネットワーク機器はターゲットコアネットワーク機器に第７メッセージを送信し、第７メッセージはアクセスネットワーク機器が最後に受信したデータを指示することに用いられる。或いはアクセスネットワーク機器はソースコアネットワーク機器に第８メッセージを送信し、第８メッセージは端末機器がソースコアネットワーク機器からターゲットコアネットワーク機器に移行したのを指示することに用いられる。
【００８８】
一実施例において、第７メッセージにアクセスネットワーク機器が最後に受信したデータが含まれる。或いは第７メッセージにアクセスネットワーク機器が最後に受信したデータの関連情報が含まれ、ここの関連情報は例えばパケットの識別子であってよい。ターゲットコアネットワーク機器は第７メッセージを受信した後に、第７メッセージに従ってソースコアネットワーク機器がアクセスネットワーク機器に送信したデータを確定することができる。
【００８９】
図３は本願の一具体的な実施例による輻輳処理のための方法の概略フローチャートである。方法２００は方法１００の方法１に対応して、繰り返しを避けるために、関連説明を適切に省略し、図３に示すように、方法２００は以下のステップを含み、
Ｓ２０１、ソースコアネットワーク機器は過負荷を確定し、ソースコアネットワーク機器が基地局にロードバランシング要求を送信する。
【００９０】
Ｓ２０２、基地局は端末機器に接続解放メッセージを送信し、
接続解放メッセージに解放理由がソースコアネットワーク機器の過負荷であることが携えられることができ、それと同時に接続解放メッセージは端末機器がターゲットコアネットワーク方法に従って接続確立プロセスを開始することを指示する。
【００９１】
Ｓ２０３、端末機器は基地局と接続を確立し、
Ｓ２０４、基地局はターゲットコアネットワーク機器とベアラーを確立する。
【００９２】
図４は本願の他の具体的な実施例による輻輳処理のための方法であり、図４に示すような方法３００は方法１００の方法２と方法３に対応して、繰り返しを避けるために、関連説明を適切に省略する。図４に示すように、方法３００は以下のステップを含み、
Ｓ３０１、ソースコアネットワーク機器は過負荷を確定し、ソースコアネットワーク機器は基地局にロードバランシング要求を送信する。
【００９３】
Ｓ３０２、基地局はターゲットコアネットワーク機器に切り替え要求を送信する。
【００９４】
Ｓ３０２において、切り替え要求はターゲットコアネットワーク機器が端末機器のためにターゲットコアネットワーク機器に関連するパラメータを構成するのを要求することに用いられ、及び／又は切り替え要求はターゲットコアネットワーク機器とベアラーを確立するのを要求することに用いられる。
【００９５】
Ｓ３０３、ターゲットコアネットワーク機器は基地局にフィードバック情報を送信する。
【００９６】
Ｓ３０３において、フィードバック情報はターゲットコアネットワーク機器に関連するパラメータをフィードバックし、及び確立情報をベアラーすることに用いられる。
【００９７】
Ｓ３０４、基地局は端末機器に再構成メッセージを送信する。
【００９８】
一実施例において、再構成メッセージに再構成理由情報及び／又はパラメータ発効時間が含まれ、再構成理由情報は再構成理由がソースコアネットワーク機器の過負荷であるのを指示し、パラメータ発効時間はターゲットコアネットワーク機器に関連するパラメータの発効時間を指示することに用いられる。
【００９９】
Ｓ３０５、端末機器は基地局に再構成完成メッセージを送信し又は接続再確立プロセスを開始する。
【０１００】
Ｓ３０６、基地局はソースコアネットワークにロードバランシング完成メッセージを送信する。
【０１０１】
Ｓ３０７、コアネットワーク機器の間にインターフェースがあると、ソースコアネットワーク機器はターゲットコアネットワーク機器に最後に基地局に送信したデータ又はデータ関連情報を送信し、アクセスネットワーク機器の間にインターフェースがないと、基地局はターゲットコアネットワーク機器に最後に受信したデータ又はデータ関連情報を送信する。
【０１０２】
以下、図５を組み合わせてソースコアネットワーク機器側から本願の実施例による輻輳処理のための方法を詳細的に説明する。理解すべきなのは、ソースコアネットワーク機器側から説明するソースコアネットワーク機器、ターゲットコアネットワーク機器、アクセスネットワーク機器及び端末機器の対話はアクセスネットワーク機器側の説明と同様であり、繰り返しを避けるために、関連説明を適切に省略する。図５に示すように、方法４００は以下のステップを含み、
Ｓ４１０、ソースコアネットワーク機器は第１メッセージを確定し、前記第１メッセージは前記ソースコアネットワーク機器の過負荷を指示し、
Ｓ４２０、前記ソースコアネットワーク機器はアクセスネットワーク機器に前記第１メッセージを送信し、前記アクセスネットワーク機器は前記第１メッセージに従って、端末機器を前記ソースコアネットワーク機器からターゲットコアネットワーク機器に移行させる操作を行うことに用いられ、前記ターゲットコアネットワーク機器と前記ソースコアネットワーク機器は異なる通信システムをサポートする。
【０１０３】
このため、本願の実施例による輻輳処理のための方法は、ソースコアネットワーク機器は自分が過負荷であるのを確定する場合に、アクセスネットワーク機器に過負荷を指示する第１メッセージを送信し、アクセスネットワーク機器は第１メッセージに従って端末機器をソースコアネットワーク機器からターゲットコアネットワーク機器に移行する操作を実行させ、端末機器をソースコアネットワーク機器からターゲットコアネットワーク機器に移行させることがで、ソースコアネットワークの輻輳問題を解決し、コアネットワーク機器の間のロードバランシングを実現することができ、ユーザーエクスペリエンスを向上させる。
【０１０４】
本願の実施例において、前記方法は、前記ソースコアネットワーク機器は前記ターゲットコアネットワーク機器に第９メッセージを送信し、前記第９メッセージは前記ソースコアネットワーク機器が最後に前記アクセスネットワーク機器に送信したデータを指示することに用いられるステップを更に含む。
【０１０５】
本願の実施例において、前記方法は、前記ソースコアネットワーク機器は前記アクセスネットワーク機器が送信した第８メッセージを受信し、前記第８メッセージは前記端末機器が前記ソースコアネットワーク機器から前記ターゲットコアネットワーク機器に移行したことを指示することに用いられるステップを更に含む。
【０１０６】
以下、図６〜図８を組み合わせ端末機器側から本願の実施例による輻輳処理のための方法を詳しく説明する。
【０１０７】
図６は本願の更なる実施例による輻輳処理のための方法である。図６に示すように、方法５００は以下のステップを含み、
Ｓ５１０、端末機器はアクセスネットワーク機器が送信した第２メッセージを受信し、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートする。
【０１０８】
このため、本願の実施例による輻輳処理のための方法は、端末機器はアクセスネットワーク機器が送信した第２メッセージを受信し、第２メッセージは端末機器がアクセスネットワーク機器との間に確立したソースコアネットワーク機器に関連する第１接続を解放し、且つアクセスネットワーク機器とターゲットコアネットワーク機器に関連する第２接続を確立することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１０９】
本願の実施例において、前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられる。
【０１１０】
本願の実施例において、前記方法は、前記端末機器は前記第２メッセージに従って、前記第１接続を解放するステップと、前記端末機器は前記アクセスネットワーク機器に第３メッセージを送信し、前記第３メッセージは前記アクセスネットワーク機器と前記第２接続を確立することを要求することに用いられるステップと、を更に含む。
【０１１１】
本願の実施例において、前記第３メッセージに第３指示情報が含まれ、前記第３指示情報は前記第２接続を確立するのを要求する理由が前記ソースコアネットワーク機器の過負荷であるのを指示することに用いられる。
【０１１２】
図７は本願の更なる実施例による輻輳処理のための方法を示す。図７に示すように、方法６００は以下のステップを含み、
Ｓ６１０、端末機器はアクセスネットワーク機器が送信した第４メッセージを受信し、前記第４メッセージにターゲットコアネットワーク機器に関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートする。
【０１１３】
このため、本願の実施例による輻輳処理のための方法は、端末機器はアクセスネットワーク機器が送信した第４メッセージを受信し、第４メッセージは端末機器がターゲットコアネットワーク機器に関連するパラメータに従ってソースコアネットワーク機器に関連する第１接続を再構成することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１１４】
本願の実施例において、前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられる。
【０１１５】
本願の実施例において、前記パラメータは、サービス品質ＱｏＳに関連するパラメータ、セキュリティキー、及び前記ターゲットコアネットワーク機器が属するネットワークスライスに関連するパラメータの中の少なくとも１つを含む。
【０１１６】
本願の実施例において、前記方法は、前記端末機器は前記パラメータに従って前記第１接続を再構成するステップを更に含む。
【０１１７】
本願の実施例において、前記第４メッセージに前記第５指示情報が含まれる場合に、前記端末機器は前記パラメータに従って前記第１接続を再構成するのは、前記端末機器が前記パラメータの発効時間の後に、前記パラメータに従って前記第１接続を再構成することを含む。
【０１１８】
図８は本願の更なる実施例による輻輳処理のための方法を示す。図８に示すように、方法７００は以下のステップを含み、
Ｓ７１０、端末機器はアクセスネットワーク機器が送信した第６メッセージを受信し、前記第６メッセージは前記端末機器が接続再確立プロセスによって前記アクセスネットワーク機器とターゲットコアネットワーク機器に関連する接続を確立するのをトリガーすることに用いられ、前記端末機器をソースコアネットワーク機器から前記ターゲットコアネットワーク機器に移行させ、前記ターゲットコアネットワーク機器と前記ソースコアネットワーク機器は異なる通信システムをサポートする。
【０１１９】
このため、本願による輻輳処理のための方法は、端末機器はアクセスネットワーク機器が送信した第６メッセージを受信し、第６メッセージは端末機器が接続再確立プロセスによってアクセスネットワーク機器との間にターゲットコアネットワーク機器に関連する接続を確立することをトリガーすることに用いられる、それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１２０】
本願の実施例において、前記第６メッセージに第６指示情報が含まれ、前記第６指示情報は前記接続を確立する理由を指示することに用いられる。
【０１２１】
本願の実施例において、前記方法は、前記端末機器は前記第６メッセージに従って、接続再確立プロセスを開始し、前記アクセスネットワーク機器と前記接続を確立するステップを更に含む。
【０１２２】
以上で図２〜図８を組み合わせ本願の実施例による輻輳処理のための方法を詳しく説明しており、以下、図９を組み合わせて本願の実施例によるアクセスネットワーク機器を詳しく説明し、図９に示すように、アクセスネットワーク機器１０は、
ソースコアネットワーク機器が送信した第１メッセージを受信することに用いられ、前記第１メッセージは前記ソースコアネットワーク機器の過負荷を指示することに用いられるトランシーバーモジュール１１、及び
前記第１メッセージに従って、端末機器を前記ソースコアネットワーク機器からターゲットコアネットワーク機器に移行させる操作を行うことに用いられ、前記ターゲットコアネットワーク機器と前記ソースコアネットワーク機器は異なる通信システムをサポートする処理モジュール１２、を備える。
【０１２３】
このため、本願の実施例によるアクセスネットワーク機器はソースコアネットワーク機器が送信した過負荷を指示する第１メッセージを指示した後に、端末機器をソースコアネットワーク機器からターゲットコアネットワーク機器に移行する操作を行い、端末機器をソースコアネットワークからターゲットコアネットワークに移行させることができ、ソースコアネットワーク機器の輻輳問題を解決し、且つコアネットワーク機器の間のロードバランシングを実現することができ、ユーザーエクスペリエンスを向上させる。
【０１２４】
本願の実施例において、前記端末機器を前記ソースコアネットワーク機器からターゲットコアネットワーク機器に移行させる操作は、前記トランシーバーモジュールは前記端末機器に第２メッセージを送信するのを制御し、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であることを含む。
【０１２５】
本願の実施例において、前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられる。
【０１２６】
本願の実施例において、前記端末機器を前記ソースコアネットワーク機器からターゲットコアネットワーク機器に移行させる操作は、前記トランシーバーモジュールは前記端末機器が送信した第３メッセージを受信するのを制御し、前記第３メッセージは前記アクセスネットワーク機器と前記第２接続を確立することを要求することに用いられ、前記第３メッセージに従って、前記端末機器と前記第２接続を確立することを更に含む。
【０１２７】
本願の実施例において、前記第３メッセージに第３指示情報が含まれ、前記第３指示情報は前記第２接続を確立するのを要求する理由が前記ソースコアネットワーク機器の過負荷であるのを指示することに用いられる。
【０１２８】
本願の実施例において、前記端末機器を前記ソースコアネットワーク機器からターゲットコアネットワーク機器に移行させる操作は、前記トランシーバーモジュールは前記端末機器に第４メッセージを送信するのを制御し、前記第４メッセージに前記ターゲットコアネットワークに関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であることを含む。
【０１２９】
本願の実施例において、前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられる。
【０１３０】
本願の実施例において、前記パラメータは、サービス品質ＱｏＳに関連するパラメータ、セキュリティキー、及び前記ターゲットコアネットワーク機器が属するネットワークスライスに関連するパラメータの中の少なくとも１つを含む。
【０１３１】
本願の実施例において、前記端末機器を前記ソースコアネットワーク機器からターゲットコアネットワーク機器に移行させる操作は、前記トランシーバーモジュールは前記ターゲットコアネットワーク機器に第５メッセージを送信するのを制御し、前記第５メッセージは前記ターゲットコアネットワーク機器が前記パラメータを構成することを要求することに用いられ、及び／又は、前記第５メッセージは前記ターゲットコアネットワーク機器との間のベアラーを確立することを要求することに用いられることを更に含む。
【０１３２】
本願の実施例において、前記端末機器を前記ソースコアネットワーク機器からターゲットコアネットワーク機器に移行させる操作は、前記トランシーバーモジュールは前記端末機器に第６メッセージを送信するのを制御し、前記第６メッセージは前記端末機器がトリガー接続再確立プロセスによって前記アクセスネットワーク機器と前記ターゲットコアネットワーク機器に関連する接続を確立することに用いられることを含む。
【０１３３】
本願の実施例において、前記第６メッセージに第６指示情報が含まれ、前記第６指示情報は前記接続を確立する理由を指示することに用いられる。
【０１３４】
本願の実施例において、前記端末機器を前記ソースコアネットワーク機器からターゲットコアネットワーク機器に移行させる操作は、前記ターゲットコアネットワーク機器に第７メッセージを送信することに用いられことを含む。
【０１３５】
本願の実施例において、前記アクセスネットワーク機器は前記ターゲットコアネットワーク機器との間のベアラーを確立した後に、前記トランシーバーモジュール１１は更に、前記ターゲットコアネットワーク機器に第７メッセージを送信することに用いられ、前記第７メッセージは前記トランシーバーモジュールが最後に受信したデータを指示することに用いられる。  
【０１３６】
本願の実施例において、前記トランシーバーモジュール１１は更に、前記ソースコアネットワーク機器に第８メッセージを送信することに用いられ、前記第８メッセージは前記端末機器が前記ソースコアネットワーク機器から前記ターゲットコアネットワーク機器に移行したことを指示することに用いられる。
【０１３７】
本願の実施例によるアクセスネットワーク機器は対応した本願の実施例の方法１００のプロセスを参照することができ、且つ、該アクセスネットワーク機器における各ユニット／モジュール及び上記のその他の操作及び／又は機能はそれぞれ方法１００における対応したプロセスを実現するためのものであり、簡潔にするために、ここでは繰り返さない。
【０１３８】
図１０は本願の実施例によるコアネットワーク機器を示し、図１０に示すように、コアネットワーク機器２０は、
第１メッセージを確定することに用いられ、前記第１メッセージが前記コアネットワーク機器の過負荷を指示する処理モジュール２１、及び
アクセスネットワーク機器に前記第１メッセージを送信することに用いられ、前記アクセスネットワーク機器は前記第１メッセージに従って、端末機器を前記コアネットワーク機器からターゲットコアネットワーク機器に移行する操作を行うことに用いられ、前記ターゲットコアネットワーク機器と前記コアネットワーク機器とは異なる通信システムをサポートするトランシーバーモジュール２２、を備える。
【０１３９】
このため、本願の実施例によるコアネットワーク機器は自分が過負荷であるのを確定する場合に、アクセスネットワーク機器に過負荷を指示する第１メッセージを送信し、アクセスネットワーク機器は第１メッセージに従って端末機器を該コアネットワーク機器からターゲットコアネットワーク機器に移行する操作を実行させ、端末機器を該コアネットワーク機器からターゲットコアネットワーク機器に移行することができ、該コアネットワークの輻輳問題を解決し、コアネットワーク機器の間のロードバランシングを実現することができ、ユーザーエクスペリエンスを向上させる。
【０１４０】
本願の実施例において、前記トランシーバーモジュール２２は更に、前記ターゲットコアネットワーク機器に第９メッセージを送信することに用いられ、前記第９メッセージは前記コアネットワーク機器が最後に前記アクセスネットワーク機器に送信したデータを指示することに用いられる。
【０１４１】
本願の実施例において、前記トランシーバーモジュール２２は更に、前記アクセスネットワーク機器が送信した第８メッセージを受信することに用いられ、前記第８メッセージは前記端末機器が前記コアネットワーク機器から前記ターゲットコアネットワーク機器に移行したのを指示することに用いられる。
【０１４２】
本願の実施例によるコアネットワーク機器は対応した本願の実施例の方法４００のプロセスを参照することができ、且つ、該コアネットワーク機器における各ユニット／モジュール及び上記のその他の操作及び／又は機能はそれぞれ方法４００における対応したプロセスを実現するためのものであり、簡潔にするために、ここでは繰り返さない。
【０１４３】
図１１は本願の実施例による端末機器を示す。図１１に示すように、端末機器３０は処理モジュール３１とトランシーバーモジュール３２を備え、
前記処理モジュール３１は、前記トランシーバーモジュール３２はアクセスネットワーク機器が送信した第２メッセージを受信するのを制御することに用いられ、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートする。
【０１４４】
このため、本願の実施例による端末機器はアクセスネットワーク機器が送信した第２メッセージを受信し、第２メッセージは端末機器がアクセスネットワーク機器との間に確立したソースコアネットワーク機器に関連する第１接続を解放し、且つアクセスネットワーク機器とターゲットコアネットワーク機器に関連する第２接続を確立することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１４５】
本願の実施例において、前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられる。
【０１４６】
本願の実施例において、前記処理モジュール３１は更に、前記第２メッセージに従って、前記第１接続を解放することに用いられ、
前記トランシーバーモジュール３２は更に、前記アクセスネットワーク機器に第３メッセージを送信することに用いられ、前記第３メッセージは前記アクセスネットワーク機器と前記第２接続を確立することを要求することに用いられる。
【０１４７】
本願の実施例において、前記第３メッセージに第３指示情報が含まれ、前記第３指示情報は前記第２接続を確立するのを要求する理由が前記ソースコアネットワーク機器の過負荷であるのを指示することに用いられる。
【０１４８】
本願の実施例による端末機器は対応した本願の実施例の方法５００のプロセスを参照することができ、且つ、該端末機器における各ユニット／モジュール及び上記のその他の操作及び／又は機能はそれぞれ方法５００における対応したプロセスを実現するためのものであり、簡潔にするために、ここでは繰り返さない。
【０１４９】
或いは、前記処理モジュール３１は、前記トランシーバーモジュール３２はアクセスネットワーク機器が送信した第４メッセージを受信するのを制御することに用いられ、前記第４メッセージにターゲットコアネットワーク機器に関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートする。
【０１５０】
このため、本願の実施例による端末機器はアクセスネットワーク機器が送信した第４メッセージを受信し、第４メッセージは端末機器がターゲットコアネットワーク機器に関連するパラメータに従ってソースコアネットワーク機器に関連する第１接続を再構成することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１５１】
本願の実施例において、前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられる。
【０１５２】
本願の実施例において、前記パラメータは、サービス品質ＱｏＳに関連するパラメータ、セキュリティキー、及び前記ターゲットコアネットワーク機器が属するネットワークスライスに関連するパラメータの中の少なくとも１つを含む。
【０１５３】
本願の実施例において、前記処理モジュール３１は更に、前記パラメータに従って前記第１接続を再構成することに用いられる。
【０１５４】
本願の実施例において、前記第４メッセージに前記第５指示情報が含まれる場合に、前記処理モジュール３１は具体的に、前記パラメータの発効時間の後に、前記パラメータに従って前記第１接続を再構成することに用いられる。
【０１５５】
本願の実施例による端末機器は対応した本願の実施例の方法６００のプロセスを参照することができ、且つ、該端末機器における各ユニット／モジュール及び上記のその他の操作及び／又は機能はそれぞれ方法６００における対応したプロセスを実現するためのものであり、簡潔にするために、ここでは繰り返さない。
【０１５６】
或いは、前記処理モジュール３１は、前記トランシーバーモジュール３２はアクセスネットワーク機器が送信した第６メッセージを受信するのを制御することに用いられ、前記第６メッセージは前記端末機器が接続再確立プロセスによって前記アクセスネットワーク機器とターゲットコアネットワーク機器に関連する接続を確立するのをトリガーすることに用いられ、前記端末機器をソースコアネットワーク機器から前記ターゲットコアネットワーク機器に移行させ、前記ターゲットコアネットワーク機器と前記ソースコアネットワーク機器は異なる通信システムをサポートする。
【０１５７】
このため、本願の実施例による端末機器はアクセスネットワーク機器が送信した第６メッセージを受信し、第６メッセージは端末機器が接続再確立プロセスによってアクセスネットワーク機器との間にターゲットコアネットワーク機器に関連する接続を確立することをトリガーすることに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１５８】
本願の実施例において、前記第６メッセージに第６指示情報が含まれ、前記第６指示情報は前記接続を確立する理由を指示することに用いられる。
【０１５９】
本願の実施例において、前記処理モジュール３１は更に、前記第６メッセージに従って、接続再確立プロセスを開始し、前記端末機器と前記アクセスネットワーク機器とは前記接続を確立させることに用いられる。
【０１６０】
本願の実施例による端末機器は対応した本願の実施例の方法７００のプロセスを参照することができ、且つ、該端末機器における各ユニット／モジュール及び上記のその他の操作及び／又は機能はそれぞれ方法７００における対応したプロセスを実現するためのものであり、簡潔にするために、ここでは繰り返さない。
【０１６１】
図１２は本願の他の実施例によるアクセスネットワーク機器を示す。図１２に示すように、アクセスネットワーク機器１００はプロセッサー１１０及びトランシーバー１２０を備え、プロセッサー１１０がトランシーバー１２０に接続され、一実施例において、該アクセスネットワーク機器１００はメモリ１３０を更に備え、メモリ１３０がプロセッサー１１０に接続される。プロセッサー１１０、メモリ１３０及びトランシーバー１２０は内部接続通路によって互いに通信することができる。前記トランシーバー１２０は、ソースコアネットワーク機器が送信した第１メッセージを受信することに用いられ、前記第１メッセージは前記ソースコアネットワーク機器の過負荷を指示することに用いられ、前記プロセッサー１１０は、前記第１メッセージに従って、端末機器を前記ソースコアネットワーク機器からターゲットコアネットワーク機器に移行させる操作を行うことに用いられ、前記ターゲットコアネットワーク機器と前記ソースコアネットワーク機器は異なる通信システムをサポートする。
【０１６２】
このため、本願の実施例によるアクセスネットワーク機器はソースコアネットワーク機器が送信した過負荷を指示する第１メッセージを指示した後に、端末機器をソースコアネットワーク機器からターゲットコアネットワーク機器に移行する操作を行い、端末機器をソースコアネットワークからターゲットコアネットワークに移行させることができ、ソースコアネットワーク機器の輻輳問題を解決し、且つコアネットワーク機器の間のロードバランシングを実現することができ、ユーザーエクスペリエンスを向上させる。
【０１６３】
本願の実施例によるアクセスネットワーク機器１００は本願の実施例に対応したアクセスネットワーク機器１０を参照することができ、且つ、該アクセスネットワーク機器における各ユニット／モジュール及び上記のその他の操作及び／又は機能はそれぞれ方法１００における対応したプロセスを実現するためのものであり、簡潔にするために、ここでは繰り返さない。
【０１６４】
図１３は本願の実施例によるコアネットワーク機器の概略ブロック図を示し、図１３に示すように、コアネットワーク機器２００は、プロセッサー２１０及びトランシーバー２２０を備え、プロセッサー２１０がトランシーバー２２０に接続され、一実施例において、前記コアネットワーク機器２００はメモリ２３０を更に備え、メモリ２３０がプロセッサー２１０に接続される。プロセッサー２１０、メモリ２３０及びトランシーバー２２０は内部接続通路によって互いに通信することができる。前記トランシーバー２２０は、第１メッセージを確定することに用いられ、前記第１メッセージが前記コアネットワーク機器の過負荷を指示し、前記トランシーバー２２０は、アクセスネットワーク機器に前記第１メッセージを送信することに用いられ、前記アクセスネットワーク機器は前記第１メッセージに従って、端末機器を前記コアネットワーク機器からターゲットコアネットワーク機器に移行する操作を行うことに用いられ、前記ターゲットコアネットワーク機器と前記コアネットワーク機器とは異なる通信システムをサポートする。
【０１６５】
このため、本願の実施例によるコアネットワーク機器は自分が過負荷であるのを確定する場合に、アクセスネットワーク機器に過負荷を指示する第１メッセージを送信し、アクセスネットワーク機器は第１メッセージに従って端末機器を該コアネットワーク機器からターゲットコアネットワーク機器に移行する操作を実行させ、端末機器を該コアネットワーク機器からターゲットコアネットワーク機器に移行することができ、該コアネットワークの輻輳問題を解決し、コアネットワーク機器の間のロードバランシングを実現することができ、ユーザーエクスペリエンスを向上させる。
【０１６６】
本願の実施例によるコアネットワーク機器２００は本願の実施例に対応したコアネットワーク機器２０を参照することができ、且つ、該コアネットワーク機器における各ユニット／モジュール及び上記のその他の操作及び／又は機能はそれぞれ方法４００における対応したプロセスを実現するためのものであり、簡潔にするために、ここでは繰り返さない。
【０１６７】
図１４は本願の実施例による端末機器の概略ブロック図を示し、図１４に示すように、端末機器３００は、プロセッサー３１０及びトランシーバー３２０を備え、プロセッサー３１０がトランシーバー３２０に接続され、一実施例において、前記端末機器３００はメモリ３３０を更に備え、メモリ３３０がプロセッサー３１０に接続される。プロセッサー３１０、メモリ３３０及びトランシーバー３２０は内部接続通路によって互いに通信することができる。前記プロセッサー３１０は、前記トランシーバー３１０はアクセスネットワーク機器が送信した第２メッセージを受信するのを制御することに用いられ、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートする。
【０１６８】
このため、本願の実施例による端末機器はアクセスネットワーク機器が送信した第２メッセージを受信し、第２メッセージは端末機器がアクセスネットワーク機器との間に確立したソースコアネットワーク機器に関連する第１接続を解放し、且つアクセスネットワーク機器とターゲットコアネットワーク機器に関連する第２接続を確立することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１６９】
本願の実施例による端末機器３００は本願の実施例に対応した端末機器３０を参照することができ、且つ、該端末機器における各ユニット／モジュール及び上記のその他の操作及び／又は機能はそれぞれ方法５００における対応したプロセスを実現するためのものであり、簡潔にするために、ここでは繰り返さない。
【０１７０】
或いは、前記プロセッサー３１０は、前記トランシーバー３２０はアクセスネットワーク機器が送信した第４メッセージを受信することを制御し、前記第４メッセージにターゲットコアネットワーク機器に関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートする。
【０１７１】
このため、本願の実施例による端末機器はアクセスネットワーク機器が送信した第４メッセージを受信し、第４メッセージは端末機器がターゲットコアネットワーク機器に関連するパラメータに従ってソースコアネットワーク機器に関連する第１接続を再構成することを指示することに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１７２】
本願の実施例による端末機器３００は本願の実施例に対応した端末機器３０を参照することができ、且つ、該端末機器における各ユニット／モジュール及び上記のその他の操作及び／又は機能はそれぞれ方法６００における対応したプロセスを実現するためのものであり、簡潔にするために、ここでは繰り返さない。
【０１７３】
或いは、前記プロセッサー３１０は、前記トランシーバー３２０はアクセスネットワーク機器が送信した第６メッセージを受信することを制御することに用いられ、前記第６メッセージは前記端末機器が接続再確立プロセスによって前記アクセスネットワーク機器とターゲットコアネットワーク機器に関連する接続を確立するのをトリガーすることに用いられ、前記端末機器をソースコアネットワーク機器から前記ターゲットコアネットワーク機器に移行させ、前記ターゲットコアネットワーク機器と前記ソースコアネットワーク機器は異なる通信システムをサポートする。
【０１７４】
このため、本願の実施例による端末機器はアクセスネットワーク機器が送信した第６メッセージを受信し、第６メッセージは端末機器が接続再確立プロセスによってアクセスネットワーク機器との間にターゲットコアネットワーク機器に関連する接続を確立することをトリガーすることに用いられる。それにより、端末機器をソースコアネットワーク機器からターゲットコアネットワーク機器に移行させることができ、ソースコアネットワーク機器の輻輳問題を解決し、コアネットワーク機器の間のロードバランシングを実現し、ユーザーエクスペリエンスを向上させる。
【０１７５】
本願の実施例による端末機器３００は本願の実施例に対応した端末機器３０を参照することができ、且つ、該端末機器における各ユニット／モジュール及び上記のその他の操作及び／又は機能はそれぞれ方法７００における対応したプロセスを実現するためのものであり、簡潔にするために、ここでは繰り返さない。
【０１７６】
理解すべきなのは、本願の実施例のプロセッサーは集積回路チップである可能性があり、信号の処理能力を有する。実現過程において、上記の方法実施例の各ステップはプロセッサーにおけるハードウェアの集積ロジック回路或いはソフトウェア形式の命令によって完成されることができる。上記のプロセッサーは汎用プロセッサー、デジタル信号プロセッサー（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）或いはその他のプログラマブルロジックデバイス、離散ゲート或いはトランジスタ論理デバイス、離散ハードウェアコンポーネントであってよい。本願の実施例に開示された各方法、ステップ及び論理ブロック図を実現或いは実行することができる。汎用プロセッサーはマイクロプロセッサーであってよく或いは該プロセッサーは任意の従来のプロセッサー等であってもよい。本発明の実施例に開示された方法を組み合わせたステップはハードウェアデコードプロセッサーにより実行して完成し、或いはデコードプロセッサーにおけるハードウェアとソフトウェアモジュールとの組み合わせにより実行して完成するように直接に体現することができる。ソフトウェアモジュールはランダムアクセスメモリ、フラッシュメモリ、読み出し専用メモリ、プログラム可能読み出し専用メモリまたは電気的消去可能プログラマブルメモリ、レジスタなどの本分野において成熟した記憶媒体に位置することができる。該記憶媒体はメモリに位置し、プロセッサーはメモリにおける情報を読み取り、そのハードウェアを組み合わせて上記方法のステップを完成する。
【０１７７】
理解できるのは、本願の実施例におけるメモリは揮発性メモリ又は不揮発性メモリであってよく、又は揮発性と不揮発性メモリをともに含んでよい。不揮発性メモリは読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み取り専用メモリ（Ｅｒａｓａｂｌｅ  ＰＲＯＭ、ＥＰＲＯＭ）、電気的に消去可能なプログラマブル読み取り専用メモリ（Ｅｌｅｃｔｒｉｃａｌｌｙ  ＥＰＲＯＭ、ＥＥＰＲＯＭ）又はフラッシュメモリであってよい。揮発性メモリはランダムアクセスメモリ（Ｒａｎｄｏｍ  Ａｃｃｅｓｓ  Ｍｅｍｏｒｙ、ＲＡＭ）であってよく、外部キャッシュとして使用される。制限ではなく、例示的な説明によって、複数の形式のＲＡＭを利用することができ、例えばスタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータ速率同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、強化型同期ダイナミックランダムアクセスメモリ（Ｅｎｈａｎｃｅｄ  ＳＤＲＡＭ、ＥＳＤＲＡＭ）、同期接続ダイナミックランダムアクセスメモリ（Ｓｙｎｃｈｌｉｎｋ  ＤＲＡＭ、ＳＬＤＲＡＭ）及び直接メモリバスランダムアクセスメモリ（Ｄｉｒｅｃｔ  Ｒａｍｂｕｓ  ＲＡＭ、ＤＲ  ＲＡＭ）を利用することができる。注意すべきなのは、本文に記載のシステムと方法のメモリはこれらと任意の他の適合なタイプのメモリを含むが、これらに限定されない。
【０１７８】
当業者は、本文に開示された実施例に記載の各例示のユニット及びアルゴリズムステップを組み合わせて、電子ハードウェア、又はコンピュータソフトウェア及び電子ハードウェアの組み合わせで実現することができることを認識することができる。これらの機能はハードウェアで実行するかソフトウェアで実行するかは、技術案の特定のアプリケーションおよび設計制約によって決められる。当業者は各特定のアプリケーションに対して異なる方法で説明した機能を実現することができるが、このような実現は本発明の範囲を超えると考えられない。
【０１７９】
当業者は、便利且つ簡単に説明するために、上記に記載のシステム、装置及びユニットの具体的な作業過程は、上記方法の実施例における対応過程を参照することができ、ここで繰り返して説明しないことを明らかに了解する。
【０１８０】
本願によるいくつかの実施例において、開示したシステム、装置及び方法は、その他の方式によって実現されることができることを理解すべきである。例えば以上のような装置実施例は単に例示的なものだけであり、例えば、前記ユニットの分割は、ロジック機能分割だけであり、実際な実現時に別の分割方式があり、例えば、複数のユニット又は組立部品を結合してもよいし、又は別のシステムに集積してもよいし、又はいくつかの特徴を無視でき、又は実行しなくてもよい。また、表示又は検討した互いの間にカップリング、又は直接カップリング、又は通信接続はいくつかのインターフェース、装置又はユニットによる間接カップリング又は通信接続であってよく、電気的、機械的又はその形式の接続であってもよい。
【０１８１】
上記の分離部材として説明したユニットは物理的に分離してもよいし、又は分離しなくてもよく、ユニットとして表示する部材は物理ユニットであってもよいし、又は物理ユニットではなくてもよく、即ち１つの場所に位置してもよいし、複数のネットワークユニットに分布してもよい。実際の需要に応じてその中の一部又は全部のユニットを選択して本実施例手段の目的を実現することができる。
【０１８２】
また、本発明の各実施例における各機能ユニットは１つの処理ユニットに集積されてもよいし、各ユニットは単独に物理的に存在してもよいし、２つ又は２つ以上のユニットは１つのユニットに集積されてもよい。
【０１８３】
前記機能はソフトウェア機能ユニットの形式で実現するとともに独立した製品として販売又は使用される場合、1つのコンピューター読み取り可能な記憶媒体に記憶することができる。このような理解に基づいて、本願の実施例の技術的解決手段は本質的或いは従来技術に貢献する部分は或いは該技術的解決手段の部分はソフトウェア製品の形式で表現することができ、該コンピュータソフトウェア製品が１つの記憶媒体に記憶され、一台のコンピューター設備（パーソナルコンピュータ、サーバー、或いはネットワーク設備等である）が本発明の各実施例に記載の方法の全部又は一部を実行するための若干の指令を含む。前述の記憶媒体は、Ｕディスク、モバイルハードディスク、読み出し専用記憶装置（Ｒｅａｄ−Ｏｎｌｙ  Ｍｅｍｏｒｙ、）ＲＯＭ、ランダムアクセスメモリ（Ｒａｎｄｏｍ  Ａｃｃｅｓｓ  Ｍｅｍｏｒｙ、ＲＡＭ）、ディスク或いはＣＤ等の様々なプログラムコードを記憶できる媒体である。
【０１８４】
以上のように、本願の具体的な実施形態だけであるが、本願の保護範囲はこれに制限されなく、当業者の誰でも本願が開示した技術範囲において、容易に考えた変化又は置換は、全て本願の保護範囲に含まれる。このため、本願の保護範囲を前記請求項の保護範囲を基準とすべきである。
【手続補正２】
【補正対象書類名】特許請求の範囲
【補正対象項目名】全文
【補正方法】変更
【補正の内容】
【特許請求の範囲】
【請求項１】
輻輳処理のための方法であって、
アクセスネットワーク機器は端末機器に第２メッセージを送信し、前記第２メッセージは前記端末機器が第１接続を解放して、且つ前記アクセスネットワーク機器とターゲットコアネットワーク機器に関連する第２接続を確立することを指示することに用いられ、前記第１接続は、前記端末機器と前記アクセスネットワーク機器との間に確立したソースコアネットワーク機器に関連する接続であり、前記ターゲットコアネットワーク機器と前記ソースコアネットワーク機器は異なる通信システムをサポートすること、又は
アクセスネットワーク機器は端末機器に第４メッセージを送信し、前記第４メッセージにターゲットコアネットワークに関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立したソースコアネットワーク機器に関連する接続であり、ターゲットコアネットワーク機器と前記ソースコアネットワーク機器は異なる通信システムをサポートすること、又は
アクセスネットワーク機器は前記端末機器に第６メッセージを送信し、前記第６メッセージは前記端末機器が接続再確立プロセスによってアクセスネットワーク機器と前記ターゲットコアネットワーク機器に関連する接続を確立するのをトリガーすることに用いられ、前記ターゲットコアネットワーク機器とソースコアネットワーク機器は異なる通信システムをサポートすることを含むことを特徴とする輻輳処理のための方法。
【請求項２】
前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられることを特徴とする請求項１に記載の方法。
【請求項３】
前記方法は、
前記端末機器が送信した第３メッセージを受信し、前記第３メッセージは前記アクセスネットワーク機器と前記第２接続を確立することを要求することに用いられること、及び
前記第３メッセージに従って、前記端末機器と前記第２接続を確立することを更に含むことを特徴とする請求項１又は２に記載の方法。
【請求項４】
前記第３メッセージに第３指示情報が含まれ、前記第３指示情報は前記第２接続を確立するのを要求する理由が前記ソースコアネットワーク機器の過負荷であるのを指示することに用いられることを特徴とする請求項３に記載の方法。
【請求項５】
前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられ、
前記パラメータは、サービス品質ＱｏＳに関連するパラメータ、セキュリティキー、及び前記ターゲットコアネットワーク機器が属するネットワークスライスに関連するパラメータの中の少なくとも１つを含み、
前記方法は、
前記ターゲットコアネットワーク機器に第５メッセージを送信し、前記第５メッセージは前記ターゲットコアネットワーク機器が前記パラメータを構成することを要求することに用いられ、及び／又は、前記第５メッセージは前記ターゲットコアネットワーク機器との間のベアラーを確立することを要求することに用いられることを更に含むことを特徴とする請求項１に記載の方法。
【請求項６】
前記第６メッセージに第６指示情報が含まれ、前記第６指示情報は前記接続を再確立する理由を指示することに用いられ、
前記アクセスネットワーク機器は前記ターゲットコアネットワーク機器との間のベアラーを確立した後に、前記方法は、
前記アクセスネットワーク機器は前記ターゲットコアネットワーク機器に第７メッセージを送信し、前記第７メッセージは前記アクセスネットワーク機器が最後に受信したデータを指示することに用いられるステップを更に含むことを特徴とする請求項１に記載の方法。
【請求項７】
前記方法は、
前記アクセスネットワーク機器は前記ソースコアネットワーク機器に第８メッセージを送信し、前記第８メッセージは前記端末機器が前記ソースコアネットワーク機器から前記ターゲットコアネットワーク機器に移行したことを指示することに用いられるステップを更に含むことを特徴とする請求項１〜６のいずれかに記載の方法。
【請求項８】
輻輳処理のための方法であって、
端末機器はアクセスネットワーク機器が送信した第２メッセージを受信し、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートすること、又は
端末機器はアクセスネットワーク機器が送信した第４メッセージを受信し、前記第４メッセージにターゲットコアネットワーク機器に関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立したソースコアネットワーク機器に関連する接続であり、前記ターゲットコアネットワーク機器と前記ソースコアネットワーク機器は異なる通信システムをサポートすること、又は
端末機器はアクセスネットワーク機器が送信した第６メッセージを受信し、前記第６メッセージは前記端末機器が接続再確立プロセスによって前記アクセスネットワーク機器とターゲットコアネットワーク機器に関連する接続を確立するのをトリガーすることに用いられ、前記端末機器をソースコアネットワーク機器から前記ターゲットコアネットワーク機器に移行させ、前記ターゲットコアネットワーク機器と前記ソースコアネットワーク機器は異なる通信システムをサポートすることを含むことを特徴とする輻輳処理のための方法。
【請求項９】
前記第２メッセージに第１指示情報及び／又は第２指示情報が含まれ、前記第１指示情報は前記第１接続を解放する理由を指示することに用いられ、前記第２指示情報は前記ターゲットコアネットワーク機器を指示することに用いられることを特徴とする請求項８に記載の方法。
【請求項１０】
前記方法は、
前記端末機器は前記第２メッセージに従って、前記第１接続を解放するステップと、
前記端末機器は前記アクセスネットワーク機器に第３メッセージを送信し、前記第３メッセージは前記アクセスネットワーク機器と前記第２接続を確立することを要求することに用いられるステップと、を含むことを特徴とする請求項８又は９に記載の方法。
【請求項１１】
前記第３メッセージに第３指示情報が含まれ、前記第３指示情報は前記第２接続を確立するのを要求する理由が前記ソースコアネットワーク機器の過負荷であるのを指示することに用いられることを特徴とする請求項１０に記載の方法。
【請求項１２】
前記第４メッセージに第４指示情報及び／又は第５指示情報が含まれ、前記第４指示情報は前記第１接続を再構成する理由を指示することに用いられ、前記第５指示情報は前記パラメータの発効時間を指示することに用いられ、
前記第４メッセージに前記第５指示情報が含まれる場合に、前記端末機器は前記パラメータに従って前記第１接続を再構成するのは、
前記端末機器が前記発効時間の後に、前記パラメータに従って前記第１接続を再構成することを含むことを特徴とする請求項８に記載の方法。
【請求項１３】
前記パラメータは、サービス品質ＱｏＳに関連するパラメータ、セキュリティキー、及び前記ターゲットコアネットワーク機器が属するネットワークスライスに関連するパラメータの中の少なくとも１つを含み、
前記方法は、
前記端末機器は前記パラメータに従って前記第１接続を再構成するステップを更に含むことを特徴とする請求項８又は１２のいずれかに記載の方法。
【請求項１４】
前記第６メッセージに第６指示情報が含まれ、前記第６指示情報は前記接続を再確立する理由を指示することに用いられ、
前記方法は、
前記端末機器は前記第６メッセージに従って、接続再確立プロセスを開始し、前記アクセスネットワーク機器と前記接続を再確立するステップを更に含むことを特徴とする請求項８に記載の方法。
【請求項１５】
端末機器であって、処理モジュールとトランシーバーモジュールを備え、
前記処理モジュールは、前記トランシーバーモジュールはアクセスネットワーク機器が送信した第２メッセージを受信することを制御することに用いられ、前記第２メッセージは前記端末機器が第１接続を解放して、且つ前記アクセスネットワーク機器と前記ターゲットコアネットワーク機器に関連する第２接続を確立することを指示することに用いられ、前記第１接続は、前記端末機器と前記アクセスネットワーク機器との間に確立した前記ソースコアネットワーク機器に関連する接続であり、前記ターゲットコアネットワーク機器と前記ソースコアネットワーク機器は異なる通信システムをサポートする、又は
前記処理モジュールは、前記トランシーバーモジュールはアクセスネットワーク機器が送信した第４メッセージを受信することを制御することに用いられ、前記第４メッセージにターゲットコアネットワーク機器に関連するパラメータが含まれ、前記第４メッセージは前記端末機器が前記パラメータに従って第１接続を再構成することを指示することに用いられ、前記第１接続は、前記端末機器と前記アクセスネットワーク機器との間に確立したソースコアネットワーク機器に関連する接続であり、ターゲットコアネットワーク機器と前記ソースコアネットワーク機器は異なる通信システムをサポートする、又は
前記処理モジュールは、前記トランシーバーモジュールはアクセスネットワーク機器が送信した第６メッセージを受信することを制御することに用いられ、前記第６メッセージは前記端末機器が接続再確立プロセスによって前記アクセスネットワーク機器とターゲットコアネットワーク機器に関連する接続を確立するのをトリガーすることに用いられ、前記端末機器をソースコアネットワーク機器から前記ターゲットコアネットワーク機器に移行させ、前記ターゲットコアネットワーク機器と前記ソースコアネットワーク機器は異なる通信システムをサポートすることを特徴とする端末機器。
【国際調査報告】
2020519076.tif 000017
2020519076.tif 000018
2020519076.tif 000019
2020519076.tif 000020